(57)【要約】【課題】発光素子の一端側から他端側への順に発光素子を点灯させるか又は他端側から一端側の順に発光素子を点灯させるかを、外部から与える信号によって選択できる発光装置、並びにこれを用いたプリントヘッドおよび画像形成装置を提供する。【解決手段】発光装置Ｃは、転送サイリスタ列の一端側の転送サイリスタＴ１のゲート端子Ｇ１には、スタート抵抗ＲｓＬの一方の端子が接続され、他端側の転送サイリスタＴ１２８のゲート端子Ｇ１２８には、スタート抵抗ＲｓＲの一方の端子が接続されている。スタート抵抗ＲｓＬおよびＲｓＲの他方の端子は、ともに第３転送信号配線７４に接続されている。そして、第１転送信号φ１および第２転送信号φ２により、転送サイリスタ列の一端側の転送サイリスタＴ１から他端側の転送サイリスタＴ１２８へとオン状態を設定でき、他端側の転送サイリスタＴ１２８から一端側の転送サイリスタＴ１へとオン状態を設定できる。【選択図】図５
2010221444.tif 000002
【特許請求の範囲】
【請求項１】
列状に配列された複数の発光素子を有する発光素子列と、
前記発光素子のそれぞれと電気的に接続されるとともに、第１の信号が供給されると一端側から他端側へ順にオン状態が設定され、第２の信号が供給されると当該他端側から当該一端側へ順にオン状態が設定されることで当該発光素子を点灯可能な状態にする複数のスイッチ素子を有するスイッチ素子列と、
を備えることを特徴とする発光装置。
【請求項２】
前記スイッチ素子列のスイッチ素子は、当該スイッチ素子列の順にＭ個（Ｍは３以上の整数）の転送信号が循環するように供給されることで、順にオン状態に設定されることを特徴とする請求項１に記載の発光装置。
【請求項３】
前記発光素子の数Ｎ（ＮはＭ＋１以上の整数）を前記転送信号の数Ｍで除した剰余が１のときは、剰余が１とならないように、前記スイッチ素子列の前記一端側または前記他端側にスイッチ素子をさらに備えることを特徴とする請求項２に記載の発光装置。
【請求項４】
前記第１の信号および前記第２の信号は、前記Ｍ個の転送信号のうちの２つの転送信号のいずれかであって、それぞれが前記スイッチ素子列の前記一端側のスイッチ素子をオン状態にする転送信号または前記他端側のスイッチ素子をオン状態にする転送信号のいずれか一方であることを特徴とする請求項２または３に記載の発光装置。
【請求項５】
前記第１の信号および前記第２の信号は、前記Ｍ個の転送信号とは別に設けられた信号であって、それぞれが前記スイッチ素子列の前記一端側または前記他端側のいずれか一方に供給されることを特徴とする請求項２に記載の発光装置。
【請求項６】
前記発光素子および前記スイッチ素子は、サイリスタであることを特徴とする請求項１ないし５のいずれか１項に記載の発光装置。
【請求項７】
列状に配列された複数の発光素子を有する発光素子列と、当該発光素子のそれぞれと電気的に接続されるとともに、第１の信号が供給されると一端側から他端側へ順にオン状態が設定され、第２の信号が供給されると当該他端側から当該一端側へ順にオン状態が設定されることで当該発光素子を点灯可能な状態にする複数のスイッチ素子を有するスイッチ素子列と、を備える発光装置を備え、像保持体を露光する露光手段と、
前記露光手段から照射される光を前記像保持体上に結像させる光学手段と、
を備えることを特徴とするプリントヘッド。
【請求項８】
像保持体を帯電する帯電手段と、
列状に配列された複数の発光素子を有する発光素子列と、当該発光素子のそれぞれと電気的に接続されるとともに、第１の信号が供給されると一端側から他端側へ順にオン状態が設定され、第２の信号が供給されると当該他端側から当該一端側へ順にオン状態が設定されることで当該発光素子を点灯可能な状態にする複数のスイッチ素子を有するスイッチ素子列と、を備える発光装置を備え、前記像保持体を露光して静電潜像を形成する露光手段と、
前記露光手段から照射される光を前記像保持体上に結像させる光学手段と、
前記像保持体に形成された静電潜像を現像する現像手段と、
前記像保持体に現像された画像を被転写体に転写する転写手段と、
を備えることを特徴とする画像形成装置。
【請求項９】
前記露光手段は、前記発光装置のスイッチ素子列のオン状態を、前記一端側から前記他端側へと順に設定することと、当該他端側から当該一端側へと順に設定することとを交互に行なうことにより、前記像保持体を露光することを特徴とする請求項８に記載の画像形成装置。
【発明の詳細な説明】
【技術分野】
【０００１】
本発明は、発光装置、プリントヘッドおよび画像形成装置に関する。
【背景技術】
【０００２】
電子写真方式を採用した、プリンタや複写機、ファクシミリ等の画像形成装置では、一様に帯電された感光体上に、画像情報を光記録手段により照射することにより静電潜像を得た後、この静電潜像にトナーを付加して可視化し、記録紙上に転写して定着することによって画像形成が行われる。かかる光記録手段として、レーザを用い、主走査方向にレーザ光を走査させて露光する光走査方式の他、近年では、装置の小型化の要請を受けて発光素子としての発光ダイオード（ＬＥＤ：Light Emitting Diode)を主走査方向に多数、配列してなる、ＬＥＤプリントヘッド(ＬＰＨ：LED Print Head)を用いた記録装置が採用されている。
【０００３】
特許文献１には、ＬＰＨに用いられるＬＥＤアレイとして、スイッチ素子多数個を配列し、互いに電気的手段もしくは光学的手段にて接続したスイッチ素子アレイと、スイッチ素子と電気的手段にて接続された発光素子多数個を配列した発光素子アレイとからなる自己走査型発光素子アレイ（ＳＬＥＤ：Self-scanning Light Emitting Device）が記載されている。
特許文献２には、感光体ドラムに露光するための光源としてＳＬＥＤチップを前記感光体ドラムの軸方向に複数個並設し且つ各々のＳＬＥＤチップが設けられる方向は前記感光体ドラムの回転軸に対して所定角度傾斜させ、それぞれのＳＬＥＤチップに設けられたシフトレジスタにより各ＳＬＥＤチップの発光点を予め定められた同一の方向に順次点灯させる露光装置が記載されている。
特許文献３には、同一の構成の複数のＳＬＥＤチップを、ＳＬＥＤチップの端部において、ＬＥＤアレイが主走査方向に連続的に配置されるように、向かい合わせて千鳥状に配列したプリントヘッドが記載されている。ここでは、奇数番目のＳＬＥＤチップと偶数番目のＳＬＥＤチップとで転送方向が逆となるため、画像データを並べ替える処理を行っている。
【先行技術文献】
【特許文献】
【０００４】
【特許文献１】特開平２−２６３６６８号公報
【特許文献２】特開平１１−９９６８９号公報
【特許文献３】特開２００７−１６０９３０号公報
【発明の概要】
【発明が解決しようとする課題】
【０００５】
ところで、ＳＬＥＤチップを用いたＬＰＨを用いる記録装置では、各ＳＬＥＤチップの転送方向は固定であるため、主走査方向の発光点列が互いに副走査方向に平行に形成されることになる。このため、画像処理の際のスクリーン角度によってはモアレが出やすくなる。
また、同一の構成のＳＬＥＤチップを向かい合わせて千鳥配置したＬＰＨでは、各ＳＬＥＤチップの転送方向は固定であるため、発光点の点灯順序にあわせて画像データの順序を入れ替える処理を行う必要があり、処理が複雑となる。
ＳＬＥＤチップの転送方向を外部から選択できれば、使用時の転送方向によらず、同一の構成のＳＬＥＤチップを使うことができるので都合がよい。
【０００６】
本発明は、発光素子の一端側から他端側への順に発光素子を点灯させるか又は他端側から一端側の順に発光素子を点灯させるかを、外部から与える信号によって選択できる発光装置、並びにこれを用いたプリントヘッドおよび画像形成装置を提供することを目的とする。
【課題を解決するための手段】
【０００７】
請求項１に記載の発明は、列状に配列された複数の発光素子を有する発光素子列と、前記発光素子のそれぞれと電気的に接続されるとともに、第１の信号が供給されると一端側から他端側へ順にオン状態が設定され、第２の信号が供給されると当該他端側から当該一端側へ順にオン状態が設定されることで当該発光素子を点灯可能な状態にする複数のスイッチ素子を有するスイッチ素子列と、を備えることを特徴とする発光装置である。
請求項２に記載の発明は、前記スイッチ素子列のスイッチ素子は、当該スイッチ素子列の順にＭ個（Ｍは３以上の整数）の転送信号が循環するように供給されることで、順にオン状態に設定されることを特徴とする請求項１に記載の発光装置である。
請求項３に記載の発明は、前記発光素子の数Ｎ（ＮはＭ＋１以上の整数）を前記転送信号の数Ｍで除した剰余が１のときは、剰余が１とならないように、前記スイッチ素子列の前記一端側または前記他端側にスイッチ素子をさらに備えることを特徴とする請求項２に記載の発光装置である。
請求項４に記載の発明は、前記第１の信号および前記第２の信号は、前記Ｍ個の転送信号のうちの２つの転送信号のいずれかであって、それぞれが前記スイッチ素子列の前記一端側のスイッチ素子をオン状態にする転送信号または前記他端側のスイッチ素子をオン状態にする転送信号のいずれか一方であることを特徴とする請求項２または３に記載の発光装置である。
請求項５に記載の発明は、前記第１の信号および前記第２の信号は、前記Ｍ個の転送信号とは別に設けられた信号であって、それぞれが前記スイッチ素子列の前記一端側または前記他端側のいずれか一方に供給されることを特徴とする請求項１に記載の発光装置である。
請求項６に記載の発明は、前記発光素子および前記スイッチ素子は、サイリスタであることを特徴とする請求項１ないし５のいずれか１項に記載の発光装置である。
【０００８】
請求項７に記載の発明は、列状に配列された複数の発光素子を有する発光素子列と、当該発光素子のそれぞれと電気的に接続されるとともに、第１の信号が供給されると一端側から他端側へ順にオン状態が設定され、第２の信号が供給されると当該他端側から当該一端側へ順にオン状態が設定されることで当該発光素子を点灯可能な状態にする複数のスイッチ素子を有するスイッチ素子列と、を備える発光装置を備え、像保持体を露光する露光手段と、前記露光手段から照射される光を前記像保持体上に結像させる光学手段と、を備えることを特徴とするプリントヘッドである。
【０００９】
請求項８に記載の発明は、像保持体を帯電する帯電手段と、列状に配列された複数の発光素子を有する発光素子列と、当該発光素子のそれぞれと電気的に接続されるとともに、第１の信号が供給されると一端側から他端側へ順にオン状態が設定され、第２の信号が供給されると当該他端側から当該一端側へ順にオン状態が設定されることで当該発光素子を点灯可能な状態にする複数のスイッチ素子を有するスイッチ素子列と、を備える発光装置を備え、前記像保持体を露光して静電潜像を形成する露光手段と、前記露光手段から照射される光を前記像保持体上に結像させる光学手段と、前記像保持体に形成された静電潜像を現像する現像手段と、前記像保持体に現像された画像を被転写体に転写する転写手段と、を備えることを特徴とする画像形成装置である。
請求項９に記載の発明は、前記露光手段は、前記発光装置のスイッチ素子列のオン状態を、前記一端側から前記他端側へと順に設定することと、当該他端側から当該一端側へと順に設定することとを交互に行うことにより、前記像保持体を露光することを特徴とする請求項８に記載の画像形成装置である。
【発明の効果】
【００１０】
請求項１の発明によれば、発光装置の発光素子列を、一端側から他端側の順に発光素子を点灯させるか又は他端側から一端側の順に発光素子を点灯させるかを、発光装置に与える信号によって選択できる。
請求項２の発明によれば、本構成を有していない場合に比較して、発光装置を駆動する信号の数を削減できる。
請求項３の発明によれば、本構成を有していない場合に比較して、発光素子の数の設定に対する制約を少なくできる。
請求項４の発明によれば、本構成を有していない場合に比較して、発光装置の端子の数を削減できる。
請求項５の発明によれば、本構成を有していない場合に比較して、発光装置がより安定して動作する。
請求項６の発明によれば、本構成を有していない場合に比較して、発光素子とスイッチ素子とを一体形成できる。
請求項７の発明によれば、プリントヘッドに設けた発光装置の発光素子列を、一端側から他端側の順に発光素子を点灯させるか又は他端側から一端側の順に発光素子を点灯させるかを、発光装置に与える信号によって選択できる。
請求項８の発明によれば、画像形成装置に設けた発光装置の発光素子列を、一端側から他端側の順に発光素子を点灯させるか又は他端側から一端側の順に発光素子を点灯させるかを、発光装置に与える信号によって選択できる。
請求項９の発明によれば、本構成を有していない場合に比較して、モアレの発生を抑制した画像形成ができる。
【図面の簡単な説明】
【００１１】
【図１】本実施の形態が適用される画像形成装置の全体構成の一例を示した図である。
【図２】本実施の形態が適用されるプリントヘッドの構成を示した図である。
【図３】プリントヘッドにおける回路基板および発光部の上面図である。
【図４】第１の実施の形態において、回路基板に搭載される信号発生回路の構成および回路基板の配線構成を示した図である。
【図５】第１の実施の形態における発光チップの回路構成を説明するための図である。
【図６】第１の実施の形態における発光チップの動作を説明するためのタイミングチャートである。
【図７】画像形成例を説明する図である。
【図８】第２の実施の形態における発光チップの回路構成を説明するための図である。
【図９】第２の実施の形態における発光チップの動作を説明するためのタイミングチャートである。
【図１０】第３の実施の形態において、回路基板に搭載される信号発生回路の構成および回路基板の配線構成を示した図である。
【図１１】第３の実施の形態における発光チップの回路構成を説明するための図である。
【図１２】第３の実施の形態における発光チップの動作を説明するためのタイミングチャートである。
【発明を実施するための形態】
【００１２】
以下、添付図面を参照して、本発明の実施の形態について詳細に説明する。なお、使用する図面は、実施の形態を説明するためのものであり、実際の大きさを現すものではない。
＜第１の実施の形態＞
図１は本実施の形態が適用される画像形成装置１の全体構成の一例を示した図である。図１に示す画像形成装置１は、一般にタンデム型と呼ばれる画像形成装置である。この画像形成装置１は、各色の画像データに対応して画像形成を行なう画像形成プロセス部１０、画像形成プロセス部１０を制御する画像出力制御部３０、例えばパーソナルコンピュータ（ＰＣ）２や画像読取装置３に接続され、これらから受信された画像データに対して予め定められた画像処理を施す画像処理部４０を備えている。
【００１３】
画像形成プロセス部１０は、一定の間隔を置いて並列的に配置される複数のエンジンからなる画像形成ユニット１１を備えている。この画像形成ユニット１１は、４つの画像形成ユニット１１Ｙ、１１Ｍ、１１Ｃ、１１Ｋから構成されている。画像形成ユニット１１Ｙ、１１Ｍ、１１Ｃ、１１Ｋは、それぞれ、静電潜像を形成してトナー像を保持する像保持体の一例としての感光体ドラム１２、感光体ドラム１２の表面を予め定められた電位で一様に帯電する帯電手段の一例としての帯電器１３、帯電器１３によって帯電された感光体ドラム１２を露光するプリントヘッド１４、プリントヘッド１４によって得られた静電潜像を現像する現像手段の一例としての現像器１５を備えている。ここで、各画像形成ユニット１１Ｙ、１１Ｍ、１１Ｃ、１１Ｋは、現像器１５に収納されたトナーを除いて、略同様に構成されている。そして、画像形成ユニット１１Ｙ、１１Ｍ、１１Ｃ、１１Ｋは、それぞれがイエロー（Ｙ）、マゼンタ（Ｍ）、シアン（Ｃ）、黒（Ｋ）のトナー像を形成する。
また、画像形成プロセス部１０は、各画像形成ユニット１１Ｙ、１１Ｍ、１１Ｃ、１１Ｋの感光体ドラム１２にて形成された各色のトナー像を被転写体の一例としての記録用紙に多重転写させるために、この記録用紙を搬送する用紙搬送ベルト２１と、用紙搬送ベルト２１を駆動させるロールである駆動ロール２２と、感光体ドラム１２のトナー像を記録用紙に転写させる転写手段の一例としての転写ロール２３と、記録用紙にトナー像を定着させる定着器２４とを備えている。
【００１４】
図２は、本実施の形態が適用されるプリントヘッド１４の構成を示した図である。このプリントヘッド１４は、ハウジング６１、複数のＬＥＤ（本実施の形態では発光サイリスタ）を備えた露光手段の一例としての発光部６３、発光部６３や発光部６３を駆動する信号発生回路１００（後述の図３参照）等を搭載する回路基板６２、発光部６３から出射された光を感光体ドラム１２表面に結像させる光学手段の一例としてのロッドレンズアレイ６４を備えている。
【００１５】
ハウジング６１は、例えば金属で形成され、回路基板６２およびロッドレンズアレイ６４を支持し、発光部６３の発光点とロッドレンズアレイ６４の焦点面とが一致するように設定されている。また、ロッドレンズアレイ６４は、感光体ドラム１２の軸方向（主走査方向）に沿って配置されている。
【００１６】
図３は、プリントヘッド１４における回路基板６２および発光部６３の上面図である。
図３に示すように、発光部６３は、回路基板６２上に、６０個の発光装置の一例としての発光チップＣ（Ｃ１〜Ｃ６０）を、主走査方向に二列に向かい合わせて千鳥状に配置して構成されている。
【００１７】
図４は、第１の実施の形態において、回路基板６２（図２参照）に搭載される信号発生回路１００の構成および回路基板６２の配線構成を示した図である。
信号発生回路１００には、図示しないが、画像出力制御部３０および画像処理部４０（図１参照）より、画像処理された画像データおよび各種の制御信号が入力される。そして、信号発生回路１００は、これらの画像データおよび各種の制御信号に基づいて、画像データの並び替えや発光強度の補正等を行い、各発光チップＣ（Ｃ１〜Ｃ６０）に対して点灯信号φＩ（φＩ１〜φＩ６０）を出力する点灯信号発生部１１０を備えている。
【００１８】
また、信号発生回路１００は、各種の制御信号に基づき、各発光チップＣ１〜Ｃ６０に対して、転送信号である第１の転送信号φ１（第１転送信号φ１）、第２の転送信号φ２（第２転送信号φ２）および第３の転送信号φ３（第３転送信号φ３）を出力する転送信号発生部１２０を備えている。
【００１９】
回路基板６２には、各発光チップＣ（Ｃ１〜Ｃ６０）のＶｓｕｂ端子（後述の図５参照）に接続され、基準電位Ｖｓｕｂ（例えば０Ｖ）を与える電源ライン１０４が設けられている。そして、各発光チップＣ（Ｃ１〜Ｃ６０）のＶｇａ端子（後述の図５参照）に接続され、電力供給のための電源電位Ｖｇａ（例えば−３．３Ｖ）を与える電源ライン１０５が設けられている。
また、回路基板６２には、信号発生回路１００の転送信号発生部１２０から発光部６３に、第１転送信号φ１、第２転送信号φ２および第３転送信号φ３を、それぞれ送信する第１転送信号ライン１０６、第２転送信号ライン１０７および第３転送信号ライン１０８も設けられている。第１転送信号ライン１０６、第２転送信号ライン１０７および第３転送信号ライン１０８は、それぞれが各発光チップＣ（Ｃ１〜Ｃ６０）のφ１端子、φ２端子およびφ３端子（後述の図５参照）に並列に接続される。
さらに、回路基板６２には、信号発生回路１００の点灯信号発生部１１０から各発光チップＣ１〜Ｃ６０に点灯信号φＩ（φＩ１〜φＩ６０）を送信する６０本の点灯信号ライン１０９（１０９＿１〜１０９＿６０）も設けられている。さらに、回路基板６２には、６０本の点灯信号ライン１０９（１０９＿１〜１０９＿６０）に過剰な電流が流れるのを防止するための６０個の点灯電流制限抵抗ＲＩＤが設けられている。
【００２０】
図５は、自己走査型発光素子アレイ（ＳＬＥＤ）チップである発光チップＣの回路構成を説明するための図である。なお、ここでは、発光チップＣ１を例として説明を行うが、他の発光チップＣ２〜Ｃ６０も発光チップＣ１と同じ構成を有している。
【００２１】
発光チップＣ１は、基板８０上に、列状に配列された１２８個のスイッチ素子の一例としての転送サイリスタＴ１〜Ｔ１２８からなる転送サイリスタ列（スイッチ素子列）、同様に列状に配列された１２８個の発光素子の一例としての発光サイリスタＬ１〜Ｌ１２８からなる発光サイリスタ列（発光素子列）を備えている。また、発光チップＣ１は、基板８０上に、１２７個の接続抵抗Ｒｃ１〜Ｒｃ１２７、２個のスタート抵抗ＲｓＬ、ＲｓＲ、１２８個の抵抗Ｒ１〜Ｒ１２８を備えている。さらに、発光チップＣ１は、基板８０上に、第１転送信号φ１、第２転送信号φ２および第３転送信号φ３が供給される信号線（第１転送信号配線７２、第２転送信号配線７３および第３転送信号配線７４）に、過剰な電流が流れるのを防止するための転送電流制限抵抗Ｒ１Ａ、Ｒ２ＡおよびＲ３Ａを備えている。
そして、発光サイリスタＬ１〜Ｌ１２８は、図５中において、左側からＬ１、Ｌ２、…、Ｌ１２７、Ｌ１２８の順で配列されている。また、転送サイリスタＴ１〜Ｔ１２８も、図中左側からＴ１、Ｔ２、…、Ｔ１２７、Ｔ１２８の順で配列されている。さらに、接続抵抗Ｒｃ１〜Ｒｃ１２７も、図中左側からＲｃ１、Ｒｃ２、…、Ｒｃ１２６、Ｒｃ１２７の順で配列されている。さらにまた、抵抗Ｒ１〜Ｒ１２８も、図中左側からＲ１、Ｒ２、…、Ｒ１２７、Ｒ１２８の順で配列されている。
【００２２】
なお、転送サイリスタＴ１〜Ｔ１２８をそれぞれ区別しないときは、転送サイリスタＴと、発光サイリスタＬ１〜Ｌ１２８をそれぞれ区別しないときは、発光サイリスタＬと呼ぶ。同様に、接続抵抗Ｒｃ１〜Ｒｃ１２７をそれぞれ区別しないときは、接続抵抗Ｒｃと、抵抗Ｒ１〜Ｒ１２８をそれぞれ区別しないときは、抵抗Ｒと呼ぶ。
【００２３】
では次に、発光チップＣ１における各素子の電気的な接続について説明する。
各転送サイリスタＴ１〜Ｔ１２８のアノード端子（第２アノード端子）および各発光サイリスタＬ１〜Ｌ１２８のアノード端子（第１アノード端子）は、発光チップＣ１の基板８０に接続されている（アノードコモン）。そして、これらのアノード端子は、基板８０に設けられたＶｓｕｂ端子を介して電源ライン１０４（図４参照）に接続されている。この電源ライン１０４には、基準電位Ｖｓｕｂが供給される。
また、各転送サイリスタＴ１〜Ｔ１２８のゲート端子（第２ゲート端子）Ｇ１〜Ｇ１２８は、各転送サイリスタＴ１〜Ｔ１２８に対応して設けられた抵抗Ｒ１〜Ｒ１２８をそれぞれ介して電源配線７１に接続されている。そして、電源配線７１は、Ｖｇａ端子に接続され、Ｖｇａ端子は、電源ライン１０５（図４参照）に接続されて、電源電位Ｖｇａが供給される。
【００２４】
転送サイリスタＴ１から始まって、転送サイリスタＴの配列に沿って、番号が増える方向に、３つ目毎、すなわち、転送サイリスタＴ１、Ｔ４、Ｔ７、…、Ｔ１２７（番号は３×（Ｓ−１）＋１）：Ｓは１以上の整数）のカソード端子（第２カソード端子）は、第１転送信号配線７２に接続されている。そして、第１転送信号配線７２は、転送電流制限抵抗Ｒ１Ａを介して、第１転送信号φ１の入力端子であるφ１端子に接続されている。このφ１端子には、第１転送信号ライン１０６（図４参照）が接続され、第１転送信号φ１が供給される。
一方、転送サイリスタＴ２から始まって、転送サイリスタＴの配列に沿って、番号が増える方向に、３つ目毎、すなわち、転送サイリスタＴ２、Ｔ５、Ｔ８、…、Ｔ１２８（番号は３×（Ｓ−１）＋２）：Ｓは１以上の整数）のカソード端子（第２カソード端子）は、第２転送信号配線７３に接続されている。そして、第２転送信号配線７３は、転送電流制限抵抗Ｒ２Ａを介して第２転送信号φ２の入力端子であるφ２端子に接続されている。このφ２端子には、第２転送信号ライン１０７（図４参照）が接続され、第２転送信号φ２が供給される。
さらに、転送サイリスタＴ３から始まって、転送サイリスタＴの配列に沿って、番号が増える方向に、３つ目毎、すなわち、転送サイリスタＴ３、Ｔ６、Ｔ９、…、Ｔ１２６（番号は３×（Ｓ−１）＋３）：Ｓは１以上の整数）のカソード端子（第２カソード端子）は、第３転送信号配線７４に接続され、転送電流制限抵抗Ｒ３Ａを介して第３転送信号φ３の入力端子であるφ３端子に接続されている。このφ３端子には、第３転送信号ライン１０８（図４参照）が接続され、第３転送信号φ３が供給される。
【００２５】
すなわち、転送サイリスタ列の転送サイリスタＴには、転送サイリスタ列の順に第１転送信号φ１、第２転送信号φ２、第３転送信号φ３が、φ１→φ２→φ３→φ１→φ２→φ３の順番で循環する（繰り返す）ように供給されている。
【００２６】
さらに、各転送サイリスタＴ１〜Ｔ１２８のゲート端子Ｇ１〜Ｇ１２８は、対応する発光サイリスタＬ１〜Ｌ１２８のゲート端子（第１ゲート端子）に、１対１でそれぞれ接続されている。ここでは、各発光サイリスタＬ１〜Ｌ１２８のゲート端子も、転送サイリスタＴ１〜Ｔ１２８のゲート端子Ｇ１〜Ｇ１２８と区別することなく、それぞれゲート端子Ｇ１〜Ｇ１２８と呼ぶ。また、ゲート端子Ｇ１〜Ｇ１２８をそれぞれ区別しないときは、ゲート端子Ｇと呼ぶ。
【００２７】
さらに、各転送サイリスタＴ１〜Ｔ１２７のそれぞれのゲート端子Ｇ１〜Ｇ１２７には、接続抵抗Ｒｃ１〜Ｒｃ１２７の一方の端子がそれぞれ接続されている。そして、転送サイリスタＴ２〜Ｔ１２８のそれぞれのゲート端子Ｇ２〜Ｇ１２８には、接続抵抗Ｒｃ１〜Ｒｃ１２７の他方の端子がそれぞれ接続されている。すなわち、各接続抵抗Ｒｃ１〜Ｒｃ１２７はそれぞれゲート端子Ｇ１〜Ｇ１２８を挟んで直列接続されている。
【００２８】
そして、転送サイリスタ列の一端側の転送サイリスタＴ１のゲート端子Ｇ１は、発光サイリスタ列の一端側の発光サイリスタＬ１と接続されている。さらに、転送サイリスタ列の一端側の転送サイリスタＴ１のゲート端子Ｇ１には、スタート抵抗ＲｓＬの一方の端子が接続されている。スタート抵抗ＲｓＬの他方の端子は、第３転送信号配線７４に接続されている。
これに加え、転送サイリスタ列の他端側の転送サイリスタＴ１２８のゲート端子Ｇ１２８は、発光サイリスタ列の他端側の発光サイリスタＬ１２８と接続されている。さらに、転送サイリスタ列の他端側の転送サイリスタＴ１２８のゲート端子Ｇ１２８には、スタート抵抗ＲｓＲの一方の端子が接続されている。スタート抵抗ＲｓＲの他方の端子も、第３転送信号配線７４に接続されている。
すなわち、スタート抵抗ＲｓＬおよびＲｓＲは、ともに第３転送信号配線７４に接続され、転送電流制限抵抗Ｒ３Ａを介して、第３転送信号φ３が供給される。
【００２９】
また、発光サイリスタＬ１〜Ｌ１２８のカソード端子（第１カソード端子）は、それぞれ点灯信号配線７５に接続され、φＩ端子に接続されている。このφＩ端子には、点灯信号ライン１０９（図４参照：発光チップＣ１の場合は点灯信号ライン１０９＿１）が接続され、点灯信号φＩ（図４参照：発光チップＣ１の場合は点灯信号φＩ１）が供給される。なお、他の発光チップＣ２〜Ｃ６０のφＩ端子には、それぞれ点灯信号φＩ２〜φＩ６０が供給される。
【００３０】
次に、発光部６３の動作について説明する。なお、発光部６３を構成する各発光チップＣ（Ｃ１〜Ｃ６０）は、図４に示したように、一組の第１転送信号φ１、第２転送信号φ２および第３転送信号φ３により、同期して駆動される。そのとき、各発光チップＣ（Ｃ１〜Ｃ６０）には、画像データに基づいた各点灯信号φＩ（φＩ１〜φＩ６０）がそれぞれ供給される。これにより、各発光チップＣ（Ｃ１〜Ｃ６０）が発光する。
したがって、発光部６３の動作は、発光チップＣ１の動作を説明すれば足りる。そこで、ここでは、発光チップＣ１を例に取り、発光チップＣの動作を説明する。
【００３１】
図６は、発光チップＣ１（Ｃ）の動作を説明するためのタイミングチャートである。そして、図６（ａ）は、発光サイリスタＬを、図５において左側から右側へ、Ｌ１、Ｌ２、…、Ｌ１２８の昇順で点灯／非点灯の制御（点灯制御）を行う場合を示している。なお、図６（ａ）は、発光サイリスタＬ１〜Ｌ９を点灯制御する部分のみを示している。このように、発光サイリスタＬを、図５において左側から右側へ順に点灯制御する場合を、正方向転送と呼ぶ。逆に、図６（ｂ）は、発光サイリスタＬを、図５において右側から左側へ、Ｌ１２８、Ｌ１２７、…、Ｌ１の降順で点灯制御する場合を示している。なお、図６（ｂ）は、発光サイリスタＬ１２８〜Ｌ１２０を点灯制御する部分のみを示している。このように、発光サイリスタＬを、図５中において右側から順に点灯制御する場合を、逆方向転送と呼ぶ。
本実施の形態では、正方向転送と逆方向転送とで、転送信号（第１転送信号φ１、第２転送信号φ２、第３転送信号φ３）の関係を変えている。
【００３２】
いずれにおいても、時刻ａから時刻ｕへとアルファベット順に時刻が経過するとする。
そして、図６（ａ）に示す正方向転送では、発光チップＣ１の発光サイリスタＬ１〜Ｌ９を点灯制御する部分のみを示した。なお、発光サイリスタＬ１〜Ｌ９のすべてを“点灯（オン）”させる場合として説明する。
一方、図６（ｂ）に示す逆方向転送では、発光チップＣ１の発光サイリスタＬ１２８〜Ｌ１２０を点灯制御する部分のみを示し、発光サイリスタＬ１２８〜Ｌ１２０のすべてを“点灯（オン）”させる場合として説明する。
【００３３】
まず、発光チップＣ１（Ｃ）を駆動する信号波形を、正方向転送と逆方向転送とで分けて説明する。
（正方向転送における信号波形）
始めに、図６（ａ）の正方向転送の場合を説明する。
発光サイリスタＬ１〜Ｌ９は、後述するように、順に点灯制御されている。そこで、各発光サイリスタＬ１〜Ｌ９の点灯制御が期間Ｔを周期として行われるとし、時刻ａから時刻ｃまでを発光サイリスタＬ１を制御する期間Ｔ（Ｌ１）、時刻ｃから時刻ｆまでを発光サイリスタＬ２を制御する期間Ｔ（Ｌ２）、時刻ｆから時刻ｉまでを発光サイリスタＬ３を制御する期間Ｔ（Ｌ３）とする。同様にして、時刻ｉから時刻ｕまでを、発光サイリスタＬ４〜Ｌ９のそれぞれを制御する期間Ｔ（Ｌ４）〜Ｔ（Ｌ９）とする。
【００３４】
図６（ａ）の期間Ｔ（Ｌ１）は、発光サイリスタＬ１を点灯制御する期間であるが、発光チップＣ１の駆動が開始される期間でもある。このため、期間Ｔ（Ｌ１）の信号波形は、それ以降の信号波形と異なった波形となっている。そこで、それ以降において信号波形が周期的に繰り返すこととなる期間Ｔ（Ｌ４）〜Ｔ（Ｌ６）について、信号波形を説明する。なお、期間Ｔ（Ｌ１）〜Ｔ（Ｌ３）については、後述する発光チップＣの動作の説明と合わせて説明する。
【００３５】
第１転送信号φ１、第２転送信号φ２および第３転送信号φ３は、期間Ｔ（Ｌ４）〜Ｔ（Ｌ６）の期間（３×期間Ｔ）を周期として繰り返す信号である。そこで、期間Ｔ（Ｌ４）〜Ｔ（Ｌ６）の期間（時刻ｉから時刻ｒまで）を１単位として説明する。
第１転送信号φ１は、時刻ｉでハイレベル（以下、「Ｈ」と記す。）からローレベル（以下、「Ｌ」と記す。）に、時刻ｍで「Ｌ」から「Ｈ」に移行し、その他の期間は「Ｈ」である。
第２転送信号φ２は、時刻ｉで「Ｈ」で、時刻ｌで「Ｈ」から「Ｌ」に移行し、時刻ｐで「Ｌ」から「Ｈ」に移行する。そして、時刻ｒでは「Ｈ」である。
第３転送信号φ３は、時刻ｉで「Ｌ」で、時刻ｊで「Ｌ」から「Ｈ」に移行し、時刻ｏで「Ｈ」から「Ｌ」に移行する。そして、時刻ｒでは「Ｌ」である。
【００３６】
ここで、第１転送信号φ１、第２転送信号φ２および第３転送信号φ３を比較する。第２転送信号φ２は、第１転送信号φ１を期間Ｔに相当する期間だけ時間軸上を右にシフトした信号にあたる。そして、第３転送信号φ３は、第２転送信号φ２を期間Ｔに相当する期間だけ時間軸上を右にシフトした信号にあたる。すなわち、第３転送信号φ３は、第１転送信号φ１を２×期間Ｔに相当する期間だけ時間軸上を右にシフトした信号にあたる。
【００３７】
期間Ｔ（Ｌ４）の開始時刻ｉから時刻ｊまでの期間は、第３転送信号φ３と第１転送信号φ１とが、共に「Ｌ」になっている。また、期間Ｔ（Ｌ５）の開始時刻ｌから時刻ｍまでの期間は、第１転送信号φ１と第２転送信号φ２とが、共に「Ｌ」になっている。そして、期間Ｔ（Ｌ６）の開始時刻ｏから時刻ｐまでの期間は、第２転送信号φ２と第３転送信号φ３とが、共に「Ｌ」になっている。
つまり、各期間Ｔの開始時刻においては、第１転送信号φ１、第２転送信号φ２および第３転送信号φ３のうちの２つが、３−１、１−２、２−３の組み合わせで、「Ｌ」になっている。
【００３８】
そして、期間Ｔ（Ｌ４）〜Ｔ（Ｌ６）の第１転送信号φ１、第２転送信号φ２および第３転送信号φ３の信号波形が、期間Ｔ（Ｌ７）〜Ｔ（Ｌ９）以降で繰り返されている。
【００３９】
一方、点灯信号φＩは、期間Ｔを周期とする信号である。期間Ｔ（Ｌ４）の開始時刻ｉで「Ｈ」で、時刻ｋで点灯信号φＩのローレベル（以下、「Ｌｅ」と記す）に移行し、期間Ｔ（Ｌ４）の終了時刻ｌでは「Ｌｅ」から「Ｈ」に移行する。
そして、点灯信号φＩは、期間Ｔ（Ｌ５）など他の期間Ｔにおいて、繰り返されている。
なお、点灯信号φＩは、期間Ｔ（Ｌ４）では、第１転送信号φ１のみが「Ｌ」であるとき（時刻ｊ〜時刻ｌ）、「Ｌｅ」になる。そして、期間Ｔ（Ｌ５）では、第２転送信号φ２のみが「Ｌ」であるとき（時刻ｍ〜時刻ｏ）、「Ｌｅ」になる。さらに、期間Ｔ（Ｌ６）では、第３転送信号φ３のみが「Ｌ」であるとき（時刻ｐ〜時刻ｒ）、「Ｌｅ」になる。つまり、点灯信号φＩは、第１転送信号φ１、第２転送信号φ２および第３転送信号φ３のいずれか１つのみが「Ｌ」である期間に「Ｌｅ」となる信号である。
【００４０】
（逆方向転送における信号波形）
次に、図６（ｂ）の逆方向転送の場合を説明する。
図６（ｂ）の逆方向転送の場合には、時刻ａから時刻ｃまでが、発光サイリスタＬ１２８を制御する期間Ｔ（Ｌ１２８）、時刻ｃから時刻ｆまでが、発光サイリスタＬ１２７を点灯制御する期間Ｔ（Ｌ１２７）、時刻ｆから時刻ｉまでが、発光サイリスタＬ１２６を点灯制御する期間Ｔ（Ｌ１２６）となる。同様にして、時刻ｉから時刻ｕまでが、発光サイリスタＬ１２５〜Ｌ１２０のそれぞれを点灯制御する期間Ｔ（Ｌ１２５）〜Ｔ（Ｌ１２０）（番号は降順。以下同じ）となる。
図６（ｂ）の期間Ｔ（Ｌ１２８）は、発光サイリスタＬ１２８を点灯制御する期間であるが、発光チップＣ１の駆動が開始される期間でもある。このため、期間Ｔ（Ｌ１２８）の信号波形は、正方向転送における期間Ｔ（Ｌ１）と同様に、それ以降の信号波形と異なった波形となっている。そこで、それ以降において信号波形が周期的に繰り返すこととなる期間Ｔ（Ｌ１２５）〜Ｔ（Ｌ１２３）において、信号波形の概要を説明する。なお、期間Ｔ（Ｌ１２８）〜Ｔ（Ｌ１２６）については、後述する発光チップＣの動作の説明と合わせて説明する。
【００４１】
第１転送信号φ１、第２転送信号φ２および第３転送信号φ３は、期間Ｔ（Ｌ１２５）〜Ｔ（Ｌ１２３）の期間（３×期間Ｔ）を周期として繰り返す信号である。そこで、期間Ｔ（Ｌ１２５）〜Ｔ（Ｌ１２３）の期間（時刻ｉから時刻ｒまで）を１単位として説明する。
第１転送信号φ１は、時刻ｉで「Ｈ」で、時刻ｌで「Ｈ」から「Ｌ」に移行し、時刻ｐで「Ｌ」から「Ｈ」に移行する。そして、時刻ｒでは「Ｈ」である。
第２転送信号φ２は、時刻ｉで「Ｈ」から「Ｌ」に、時刻ｍで「Ｌ」から「Ｈ」に移行する。その他の期間は「Ｈ」である。
第３転送信号φ３は、時刻ｉで「Ｌ」で、時刻ｊで「Ｌ」から「Ｈ」に移行し、時刻ｏで「Ｈ」から「Ｌ」に移行する。そして、時刻ｒでは「Ｌ」である。
【００４２】
ここで、第１転送信号φ１、第２転送信号φ２および第３転送信号φ３を比較する。第１転送信号φ１は、第２転送信号φ２を期間Ｔに相当する期間だけ時間軸上を右にシフトした信号にあたる。そして、第３転送信号φ３は、第１転送信号φ１を期間Ｔに相当する期間だけ時間軸上を右にシフトした信号にあたる。すなわち、第３転送信号φ３は、第２転送信号φ２を２×期間Ｔに相当する期間だけ時間軸上を右にシフトした信号にあたる。
【００４３】
期間Ｔ（Ｌ１２５）の開始時刻ｉから時刻ｊまでの期間は、第２転送信号φ２と第３転送信号φ３とが、期間Ｔ（Ｌ１２４）の開始時刻ｌから時刻ｍまでの期間は、第１転送信号φ１と第２転送信号φ２とが、そして、期間Ｔ（Ｌ１２３）の開始時刻ｏから時刻ｐまでの期間は、第３転送信号φ３と第１転送信号φ１とが、共に「Ｌ」になっている。
つまり、期間Ｔの開始時刻においては、第１転送信号φ１、第２転送信号φ２および第３転送信号φ３のうち２つが、３−２、２−１、１−３の組み合わせで、「Ｌ」になっている。
【００４４】
そして、期間Ｔ（Ｌ１２５）〜Ｔ（Ｌ１２３）の第１転送信号φ１、第２転送信号φ２および第３転送信号φ３の信号波形が、期間Ｔ（Ｌ１２２）〜Ｔ（Ｌ１２０）以降で繰り返されている。
【００４５】
なお、図６（ｂ）の逆方向転送の場合を、図６（ａ）の正方向転送の場合と比較すると、第１転送信号φ１と第２転送信号φ２とを入れ替えた関係になっている。そして、第３転送信号φ３は、同じ波形である。
【００４６】
一方、点灯信号φＩは、正方向転送の場合と同様に、期間Ｔを周期とする信号である。期間Ｔ（Ｌ１２５）の開始時刻ｉで「Ｈ」で、時刻ｋで「Ｌｅ」に移行し、期間Ｔ（Ｌ１２５）の終了時刻ｌでは「Ｌｅ」から「Ｈ」に移行する。
そして、点灯信号φＩは、期間Ｔ（Ｌ１２４）など他の期間Ｔにおいて、繰り返されている。
なお、点灯信号φＩは、正方向転送の場合と同様に、期間Ｔ（Ｌ１２５）では、第２転送信号φ２のみが「Ｌ」であるとき（時刻ｊ〜時刻ｌ）、期間Ｔ（Ｌ１２４）では、第１転送信号φ１のみが「Ｌ」であるとき（時刻ｍ〜時刻ｏ）、さらに、期間Ｔ（Ｌ１２３）では、第３転送信号φ３のみが「Ｌ」であるとき（時刻ｐ〜時刻ｒ）、「Ｌｅ」になる。つまり、点灯信号φＩは、第１転送信号φ１、第２転送信号φ２および第３転送信号φ３のいずれか１つのみが「Ｌ」である期間に「Ｌｅ」となる信号である。
【００４７】
以下では、図６に示したタイミングチャートによって、発光チップＣ１（Ｃ）の動作を説明する。
始めに、図５に示した基板８０に設けられたアノード端子（Ｖｓｕｂ端子）の電位を基準として、サイリスタ（転送サイリスタＴおよび発光サイリスタＬ）の動作を説明する。
サイリスタは、カソード端子にしきい電圧より低い電位が印加されるとオンする。サイリスタがオンすると、アノード端子とカソード端子との間に電流が流れた状態（オン状態）になる。サイリスタのしきい電圧は、ゲート端子Ｇの電位からｐｎ接合の拡散電位Ｖｄを引いた値である。
そして、サイリスタがオンすると、サイリスタのゲート端子Ｇは、サイリスタのアノード端子の電位となる。また、サイリスタのカソード端子は、ｐｎ接合の拡散電位Ｖｄになる。
サイリスタは一度オンすると、カソード端子の電位が、サイリスタがオン状態を維持するに必要な電位より高い値になるまで、オン状態を維持する。なお、カソード端子とアノード端子との電位が同じとなれば、オン状態を維持できずサイリスタはオフする。サイリスタがオフすると、アノード端子とカソード端子との間に電流が流れていない状態（オフ状態）になる。
なお、発光サイリスタＬは、オンになると点灯（発光）し、オフになると消灯（非発光）する。
【００４８】
（初期状態）
図６に示したタイミングチャートの時刻ａの直前、発光チップＣ（Ｃ１〜Ｃ６０）のＶｓｕｂ端子は基準電位Ｖｓｕｂ（例えば、０Ｖ）に設定され、第１電位の一例としての「Ｈ」になる。Ｖｇａ端子は電源電位Ｖｇａ（例えば、−３．３Ｖ）に設定され、第２電位の一例としての「Ｌ」になる（図４参照）。
そして、転送信号発生部１２０は、第１転送信号φ１、第２転送信号φ２および第３転送信号φ３を「Ｈ」に、点灯信号発生部１１０は、点灯信号φＩ（φＩ１〜φＩ６０）を「Ｈ」に設定する（図４参照）。これは、正方向転送であっても、逆方向転送であっても同じである。
では、発光チップＣ１を例として、発光チップＣの動作を説明する。
【００４９】
ここで、発光チップＣ１の転送サイリスタＴ１〜Ｔ１２８および発光サイリスタＬ１〜Ｌ１２８のアノード端子はＶｓｕｂ端子に接続されているので、「Ｈ」が供給される。一方、転送サイリスタＴ１〜Ｔ１２８のカソード端子は、それぞれ「Ｈ」に設定された第１転送信号φ１、第２転送信号φ２または第３転送信号φ３のいずれかに接続されている。したがって、転送サイリスタＴ１〜Ｔ１２８のアノード端子およびカソード端子は、ともに「Ｈ」（０Ｖ）であるので、転送サイリスタＴ１〜Ｔ１２８はオフ状態にある。
同様に、発光サイリスタＬ１〜Ｌ１２８のカソード端子は「Ｈ」に設定された点灯信号φＩ（発光チップＣ１では点号信号φＩ１）に接続されている。したがって、発光サイリスタＬ１〜Ｌ１２８のアノード端子およびカソード端子はともに「Ｈ」（０Ｖ）であるので、発光サイリスタＬ１〜Ｌ１２８はオフ状態にある。
【００５０】
さて、転送サイリスタＴおよび発光サイリスタＬのゲート端子Ｇ１〜Ｇ１２８は、それぞれ抵抗Ｒ１〜Ｒ１２８を介して電源電位Ｖｇａ（「Ｌ」）に接続されている。
そして、図５中の転送サイリスタ列の一端側のゲート端子Ｇ１は、スタート抵抗ＲｓＬを介して「Ｈ」の第３転送信号φ３に接続されている。一方、図５中の転送サイリスタ列の他端側のゲート端子Ｇ１２８も、スタート抵抗ＲｓＲを介して「Ｈ」の第３転送信号φ３に接続されている。
【００５１】
この状態において、抵抗Ｒ（Ｒ１〜Ｒ１２８）、接続抵抗Ｒｃ（Ｒｃ１〜Ｒｃ１２７）、スタート抵抗ＲｓＬ、ＲｓＲは、相互に接続された抵抗ネットワークを構成している。そして、それぞれのゲート端子Ｇ１〜Ｇ１２８の電位は、この抵抗ネットワークによって決められる。したがって、それぞれのゲート端子Ｇの電位を正確に求めるには、上記のすべての抵抗を考慮して解析することが必要となる。
以下に説明するように、それぞれのゲート端子Ｇの電位が、接続抵抗Ｒｃを介して、相互に影響し合っていることが重要である。ここでは、それぞれのゲート端子Ｇの電位を近似的に求めることで、発光チップＣの動作を説明する。なお、それぞれのゲート端子Ｇの正確な電位は、すべての抵抗を考慮した抵抗ネットワークより求めることができる。
【００５２】
ここでは、一例として、スタート抵抗ＲｓＬ、ＲｓＲは同じとして、抵抗値Ｒｓとする。抵抗Ｒ（Ｒ１〜Ｒ１２８）はすべてが同じとして、抵抗値Ｒとする。そして、接続抵抗Ｒｃ（Ｒｃ１〜Ｒｃ１２７）はすべてが同じとして、抵抗値Ｒｃとする。さらに、抵抗値Ｒｓと抵抗値Ｒとが等しいとする。そして、抵抗値Ｒｃは抵抗値Ｒの０．７倍とする。なお、各抵抗の値は、発光チップＣの動作を分かりやすく説明するためのものある。このため、これと異なる設定をしてもよい。
また、転送サイリスタＴおよび発光サイリスタＬのしきい電圧は、前述したように、それぞれのゲート端子の電位からｐｎ接合の拡散電位Ｖｄを引いた値である。ここでは、拡散電位Ｖｄは、一例としてＧａＡｓでの１．５Ｖとする。
【００５３】
ゲート端子Ｇ１の電位を、「Ｌ」（−３．３Ｖ）と「Ｈ」（０Ｖ）との電位差（「Ｌ」−「Ｈ」）である電源電位Ｖｇａを抵抗Ｒ１とスタート抵抗ＲｓＬとで分圧した値Ｖｇａ×Ｒ１／（Ｒ１＋ＲｓＬ）＝Ｖｇａ×Ｒｓ／（Ｒ＋Ｒｓ）＝−１．７Ｖと近似する。すると、転送サイリスタＴ１のしきい電圧は、Ｖｇａ×Ｒｓ／（Ｒ＋Ｒｓ）−Ｖｄ＝−３．２Ｖになる。なお、数値は小数点以下２桁目を四捨五入して求めている。以下でも同様とした。
次に、ゲート端子Ｇ２の電位を、電源電位Ｖｇａを抵抗Ｒ２とスタート抵抗ＲｓＬと接続抵抗Ｒｃ１とで分圧した値Ｖｇａ×（Ｒｃ１＋ＲｓＬ）／（Ｒ２＋Ｒｃ１＋ＲｓＬ）＝Ｖｇａ×（Ｒｃ＋Ｒｓ）／（Ｒ＋Ｒｃ＋Ｒｓ）＝−２．１Ｖと近似する。すると、転送サイリスタＴ２のしきい電圧は、Ｖｇａ×Ｒ／（Ｒ＋Ｒｃ＋Ｒｓ）−Ｖｄ＝−３．６Ｖになる。
同様に、ゲート端子Ｇ３の電位を、電源電位Ｖｇａを抵抗Ｒ３とスタート抵抗ＲｓＬと接続抵抗Ｒｃ１、Ｒｃ２とで分圧した値Ｖｇａ×（Ｒｃ１＋Ｒｃ２＋ＲｓＬ）／（Ｒ３＋Ｒｃ１＋Ｒｃ２＋ＲｓＬ）＝Ｖｇａ×（２×Ｒｃ＋Ｒｓ）／（Ｒ＋２×Ｒｃ＋Ｒｓ）＝−２．３Ｖと近似する。すると、転送サイリスタＴ３のしきい電位は、Ｖｇａ×（２Ｒｃ＋Ｒｓ）／（Ｒ＋２Ｒｃ＋Ｒｓ）−Ｖｄ＝−３．８Ｖになる。
さらに、ゲート端子Ｇ４の電位を、電源電位Ｖｇａを抵抗Ｒ４とスタート抵抗ＲｓＬと接続抵抗Ｒｃ１、Ｒｃ２、Ｒｃ３とで分圧した電位Ｖｇａ×（Ｒｃ１＋Ｒｃ２＋Ｒｃ３＋ＲｓＬ）／（Ｒ４＋Ｒｃ１＋Ｒｃ２＋Ｒｃ３＋ＲｓＬ）＝Ｖｇａ×（３×Ｒｃ＋Ｒｓ）／（Ｒ＋３×Ｒｃ＋Ｒｓ）＝−２．５Ｖと近似する。すると、転送サイリスタＴ４のしきい電位は、Ｖｇａ×（３Ｒｃ＋Ｒｓ）／（Ｒ＋３Ｒｃ＋Ｒｓ）−Ｖｄ＝−４．０Ｖになる。
ゲート端子Ｇ５〜Ｇ６４および転送サイリスタＴ５〜Ｔ６４（６４は１２８個の転送サイリスタＴを前部と後部との２つに分けたとき前部の他端）のしきい電圧は、ゲート端子Ｇ１、Ｇ２、Ｇ３、Ｇ４および転送サイリスタＴ１、Ｔ２、Ｔ３、Ｔ４でと同様にして、求めうる。
【００５４】
同様にして、図５中の転送サイリスタ列の他端側のゲート端子Ｇ１２８の電位を、電源電位Ｖｇａを抵抗Ｒ１２８とスタート抵抗ＲｓＲとで分圧した値Ｖｇａ×ＲｓＲ／（Ｒ１２８＋ＲｓＲ）＝Ｖｇａ×Ｒｓ／（Ｒ＋Ｒｓ）＝−１．７Ｖと近似する。すると、転送サイリスタＴ１２８のしきい電圧はＶｇａ×Ｒｓ／（Ｒ＋Ｒｓ）−Ｖｄ＝−３．２Ｖになる。
次に、ゲート端子Ｇ１２７の電位を、電源電位Ｖｇａを抵抗Ｒ１２７とスタート抵抗ＲｓＲと接続抵抗Ｒｃ１２７とで分圧した値Ｖｇａ×（Ｒｃ１２７＋ＲｓＲ）／（Ｒ１２７＋Ｒｃ１２７＋ＲｓＲ）＝Ｖｇａ×（Ｒｃ＋Ｒｓ）／（Ｒ＋Ｒｃ＋Ｒｓ）＝−２．１Ｖと近似する。すると、転送サイリスタＴ１２７のしきい電圧は、Ｖｇａ×（Ｒｃ＋Ｒｓ）／（Ｒ＋Ｒｃ＋Ｒｓ）−Ｖｄ＝−３．６Ｖになる。
同様に、ゲート端子Ｇ１２６の電位を、電源電位Ｖｇａを抵抗Ｒ１２６とスタート抵抗ＲｓＲと接続抵抗Ｒｃ１２７、Ｒｃ１２６とで分圧した値Ｖｇａ×（Ｒｃ１２７＋Ｒｃ１２６＋ＲｓＲ）／（Ｒ１２６＋Ｒｃ１２７＋Ｒｃ１２６＋ＲｓＲ）＝Ｖｇａ×（２×Ｒｃ＋Ｒｓ）／（Ｒ＋２×Ｒｃ＋Ｒｓ）＝−２．３Ｖと近似する。すると、転送サイリスタＴ１２６のしきい電位は、Ｖｇａ×（２×Ｒｃ＋Ｒｓ）／（Ｒ＋２Ｒｃ＋Ｒｓ）＝−３．８Ｖとなる。
さらに、ゲート端子Ｇ１２５の電位を、電源電位Ｖｇａを抵抗Ｒ１２５とスタート抵抗ＲｓＲと接続抵抗Ｒｃ１２７、Ｒｃ１２６、Ｒｃ１２５とで分圧した値Ｖｇａ×（Ｒｃ１２７＋Ｒｃ１２６＋Ｒｃ１２５＋ＲｓＲ）／（Ｒ１２５＋Ｒｃ１２７＋Ｒｃ１２６＋Ｒｃ１２５＋ＲｓＲ）＝Ｖｇａ×（３×Ｒｃ＋Ｒｓ）／（Ｒ＋３×Ｒｃ＋Ｒｓ）＝−２．５Ｖと近似する。すると、転送サイリスタＴ１２５のしきい電位は、Ｖｇａ×（３×Ｒｃ＋Ｒｓ）／（Ｒ＋３×Ｒｃ＋Ｒｓ）−Ｖｄ＝−４．０Ｖとなる。
ゲート端子Ｇ１２４、Ｇ１２３、…、Ｇ６５のそれぞれの電位および転送サイリスタＴ１２４、Ｔ１２３、…、Ｔ６５のしきい電圧は、ゲート端子Ｇ１２８、Ｇ１２７、Ｇ１２６、Ｇ１２５および転送サイリスタＴ１２８、Ｔ１２７、Ｔ１２６、Ｔ１２５でと同様にして、求めうる。
以上説明したように、図５中の転送サイリスタ列の一端側の転送サイリスタＴ１と他端側の転送サイリスタＴ１２８のしきい電圧が最も高く−３．２Ｖである。そして、図５中の中央に位置する転送サイリスタＴ（Ｔ６４、Ｔ６５）に向かって、転送サイリスタＴのしきい電圧が低くなっている。つまり、発光チップＣ１の動作においては、スタート抵抗ＲｓＬ、ＲｓＲが設けられていることによる転送サイリスタＴのしきい電圧の変化を考慮する必要があることが分かる。
なお、これらの式では、それぞれの式において、表れていない接続抵抗Ｒｃ（Ｒｃ１〜Ｒｃ１２７）、抵抗Ｒ（Ｒ１〜Ｒ１２８）を無視していることになる。
【００５５】
各発光サイリスタＬ１〜Ｌ１２８のそれぞれのゲート端子Ｇ１〜Ｇ１２８は各転送サイリスタＴ１〜Ｔ１２８のそれぞれのゲート端子Ｇ１〜Ｇ１２８と接続されている。したがって、発光サイリスタＬ１〜Ｌ１２８のしきい電圧もそれぞれのゲート端子Ｇ１〜Ｇ１２８が接続された転送サイリスタＴ１〜Ｔ１２８のしきい電圧と同じ値になっている。
【００５６】
（正方向転送の動作）
まず始めに、図５を参照しつつ、図６（ａ）に示す正方向転送の場合を説明する。
発光サイリスタＬ１を制御する期間Ｔ（Ｌ１）について説明する。
時刻ａにおいて、第１転送信号φ１が、「Ｈ」（０Ｖ）から「Ｌ」（−３．３Ｖ）に移行する。このとき、第１転送信号φ１がカソード端子に供給される転送サイリスタＴ１、Ｔ４、…、Ｔ１２７（番号は３×（Ｓ−１）＋１：Ｓは１以上の整数）において、しきい電圧が高いのは、転送サイリスタＴ１（しきい電圧−３．２Ｖ）、転送サイリスタＴ１２７（しきい電圧−３．６Ｖ）、転送サイリスタＴ４（しきい電圧−４．０Ｖ）の順である。よって、第１転送信号φ１が「Ｌ」になると、「Ｌ」（−３．３Ｖ）よりしきい電圧が高い転送サイリスタＴ１のみがオンする。
なお、転送サイリスタＴ１２８のしきい電圧は、転送サイリスタＴ１と同じく−３．２Ｖであるが、第２転送信号φ２により「Ｈ」（０Ｖ）がそのカソード端子に供給されているので、オンしない。
すなわち、時刻ａにおいて、オンできるのは、転送サイリスタＴ１に限られる。
【００５７】
転送サイリスタＴ１がオンすると、前述したように、ゲート端子Ｇ１の電位は、「Ｈ」（０Ｖ）まで上昇する。すると、接続抵抗Ｒｃ１を介して、ゲート端子Ｇ２の電位が、Ｖｇａ×Ｒｃ１／（Ｒ２＋Ｒｃ１）＝Ｖｇａ×Ｒｃ／（Ｒ＋Ｒｃ）＝−１．４Ｖになる。これにより、転送サイリスタＴ２のしきい電圧がＶｇａ×Ｒｃ／（Ｒ＋Ｒｃ）−Ｖｄ＝−２．９Ｖになる。そして、接続抵抗Ｒｃ２を介して、ゲート端子Ｇ３の電位が、Ｖｇａ×（Ｒｃ１＋Ｒｃ２）／（Ｒ３＋Ｒｃ１＋Ｒｃ２）＝Ｖｇａ×２×Ｒｃ／（Ｒ＋２×Ｒｃ）＝−１．９Ｖになる。これにより、転送サイリスタＴ３のしきい電圧がＶｇａ×２×Ｒｃ／（Ｒ＋２×Ｒｃ）−Ｖｄ＝−３．４Ｖになる。同様にして、転送サイリスタＴ４のしきい電圧は、−３．７Ｖ、転送サイリスタＴ５のしきい電圧は、−３．９Ｖとなる。
【００５８】
転送サイリスタＴ１がオンすると、発光サイリスタＬ１のゲート端子Ｇ１の電位も０Ｖになる。これにより、発光サイリスタＬ１のしきい電圧は−１．５Ｖになる。
一方、発光サイリスタＬ２のゲート端子Ｇ２の電位（転送サイリスタＴ２のゲート端子Ｇ２の電位に等しい）は−１．４Ｖであるので、発光サイリスタＬ２のしきい電圧は−２．９Ｖとなる。同様に、発光サイリスタＬ３のしきい電圧は−３．４Ｖとなる。
さて、ゲート端子Ｇ１２８の電位は、前述したように、−１．７Ｖであるので、発光サイリスタＬ１２８のしきい電圧は−３．２Ｖとなる。そして、詳細な説明は省略するが、その他の発光サイリスタＬのしきい電圧は、−３．６Ｖ以上となる。
つまり、しきい電圧は、発光サイリスタＬ１（−１．５Ｖ）が最も高く、次が発光サイリスタＬ２（−２．９Ｖ）である。すなわち、転送サイリスタＴ１がオンになることにより、発光サイリスタＬ１のしきい電圧を高くして、点灯可能な状態にする。
【００５９】
そこで、時刻ｂにおいて、点灯信号φＩ（発光チップＣ１では点灯信号φＩ１）の電位を、発光サイリスタＬ１のみが点灯（発光）するように、−１．５Ｖと−２．９Ｖとの間の電位とする。ここで、−１．５Ｖと−２．９Ｖとの間の電位を「Ｌｅ」とする。
そして、時刻ｃにおいて、点灯信号φＩ（発光チップＣ１では点灯信号φＩ１）の電位を「Ｈ」（０Ｖ）に戻す。すると、発光サイリスタＬ１のアノード端子の電位とカソード端子の電位とが同じになるため、発光サイリスタＬ１は消灯する。
このとき、転送サイリスタＴ１はオン状態を維持している。
【００６０】
次に、発光サイリスタＬ２を制御する期間Ｔ（Ｌ２）について説明する。なお、以下では、ゲート端子Ｇの電位および転送サイリスタＴと発光サイリスタＬとのしきい電圧は値のみを示す。
時刻ｃにおいて、第２転送信号φ２が、「Ｈ」（０Ｖ）から「Ｌ」（−３．３Ｖ）に移行する。このとき、第２転送信号φ２がカソード端子に供給される転送サイリスタＴ２、Ｔ５、…、Ｔ１２８（番号は３×（Ｓ−１）＋２：Ｓは１以上の整数）において、しきい電圧は、転送サイリスタＴ２（−２．９Ｖ）、転送サイリスタＴ１２８（−３．２Ｖ）、転送サイリスタＴ５（−３．９Ｖ）の順で高い。そして、転送サイリスタＴ２（−２．９Ｖ）および転送サイリスタＴ１２８（−３．２Ｖ）のしきい電圧は、「Ｌ」（−３．３Ｖ）より高い。
そこで、第２転送信号φ２を「Ｌ」にすると、転送サイリスタＴ２と転送サイリスタＴ１２８のうち、しきい電圧がより高い転送サイリスタＴ２がオンする。転送サイリスタＴ２がオンすると、転送サイリスタＴ２のカソード端子（第２転送信号配線７３）の電位は、直ちにｐｎ接合の拡散電位Ｖｄである−１．５Ｖになる。このため、転送サイリスタＴ１２８はオンしえない。
【００６１】
そして、転送サイリスタＴ２がオン状態になると、ゲート端子Ｇ２の電位は０Ｖになるので、転送サイリスタＴ３のゲート端子Ｇ３の電位は−１．４Ｖになる。これにより、転送サイリスタＴ３のしきい電圧が−２．９Ｖとなる。
なお、ゲート端子Ｇ２の電位が０Ｖになると、発光サイリスタＬ２のしきい電圧は−１．５Ｖになる。そして、発光サイリスタＬ３〜Ｌ１２８のしきい電圧は、−２．９Ｖより低い値になっている。
なお、時刻ｃでは、転送サイリスタＴ１はオン状態を維持している。
【００６２】
そして、時刻ｄにおいて、第１転送信号φ１を「Ｈ」にすると、転送サイリスタＴ１のアノード端子とカソード端子とがともに「Ｈ」（０Ｖ）になるため、もはや転送サイリスタＴ１はオン状態を維持できずオフする。
一方、転送サイリスタＴ１がオフすると、ゲート端子Ｇ１の電位は−１．４Ｖになり、転送サイリスタＴ１のしきい電圧は−２．９Ｖになる。同様に、発光サイリスタＬ１のしきい電圧も−２．９Ｖになる。
なお、時刻ｃ〜時刻ｄの間では、転送サイリスタＴ１と転送サイリスタＴ２とがともにオン状態になっている。
【００６３】
そこで、時刻ｅで、点灯信号φＩ（発光チップＣ１では点灯信号φＩ１）を「Ｌｅ」にすると、発光サイリスタＬ２のみが点灯（発光）し、他の発光サイリスタＬは点灯しない。
次に、時刻ｆにおいて、点灯信号φＩ（発光チップＣ１では点灯信号φＩ１）を「Ｈ」にすると、発光サイリスタＬ２のアノード端子とカソード端子の電位がともに「Ｈ」になるので、発光サイリスタＬ２はもはや点灯を維持することができず消灯する。このとき、転送サイリスタＴ２はオン状態を維持している。
【００６４】
次に、発光サイリスタＬ３を制御する期間Ｔ（Ｌ３）について説明する。
時刻ｆにおいて、第３転送信号φ３が、「Ｈ」（０Ｖ）から「Ｌ」（−３．３Ｖ）に移行する。このとき、第３転送信号φ３が供給される転送サイリスタＴ３、Ｔ６、…、Ｔ１２６（番号は３×（Ｓ−１）＋３：Ｓは１以上の整数）において、しきい電圧は、転送サイリスタＴ３（−２．９Ｖ）、転送サイリスタＴ１２６（−３．８Ｖ）、転送サイリスタＴ６（−３．９Ｖ）の順に高い。
そこで、第３転送信号φ３を「Ｌ」にすると、「Ｌ」（−３．３Ｖ）よりしきい電圧が高い転送サイリスタＴ３のみがオンする。
すると、転送サイリスタＴ３のゲート端子Ｇ３は０Ｖになり、ゲート端子Ｇ４の電位は、接続抵抗Ｒｃ３を介して、−１．４Ｖに、そして転送サイリスタＴ４のしきい電圧は−２．９Ｖになる。このとき、ゲート端子Ｇ３の電位が０Ｖであるので、発光サイリスタＬ３のしきい電圧は−１．５Ｖとなる。
【００６５】
さて、第３転送信号φ３が「Ｌ」になると、ゲート端子Ｇ１の電位は、ゲート端子Ｇ３の電位（０Ｖ）によって、−１．９Ｖになり、転送サイリスタＴ１のしきい電圧は−３．４Ｖになる。そして、ゲート端子Ｇ１２８の電位は、ほぼ−３．３Ｖになり、転送サイリスタＴ１２８のしきい電圧は−４．８Ｖになる。この点が、期間Ｔ（Ｌ２）の場合と異なっている。
なお、時刻ｆでは、転送サイリスタＴ２とＴ３とがともにオン状態になっている。
【００６６】
そして、時刻ｇにおいて、第２転送信号φ２を「Ｈ」にすると、転送サイリスタＴ２のアノード端子とカソード端子の電位がともに「Ｈ」の同電位になって、転送サイリスタＴ２がオフする。
そこで、時刻ｈにおいて、点灯信号φＩ（発光チップＣ１では点灯信号φＩ１）を「Ｌｅ」にすると、前述したと同様に、発光サイリスタＬ３のみが点灯（発光）し、時刻ｉにおいて、点灯信号φＩ（発光チップＣ１では点灯信号φＩ１）を「Ｌｅ」から「Ｈ」にすると、発光サイリスタＬ３が消灯する。
【００６７】
次に、発光サイリスタＬ４を制御する期間Ｔ（Ｌ４）について説明する。
時刻ｉにおいて、第１転送信号φ１が、「Ｈ」（０Ｖ）から「Ｌ」（−３．３Ｖ）に移行する。このとき、第１転送信号φ１が供給される転送サイリスタＴ１、Ｔ４、…、Ｔ１２７（番号は３×（Ｓ−１）＋１：Ｓは１以上の整数）において、しきい電圧が高いのは、転送サイリスタＴ４（−２．９Ｖ）、転送サイリスタＴ１（−３．４Ｖ）、転送サイリスタＴ７（−３．９Ｖ）の順である。
そこで、第１転送信号φ１を「Ｌ」にすると、「Ｌ」（−３．３Ｖ）よりしきい電圧が高い転送サイリスタＴ４のみがオンする。すると、転送サイリスタＴ４のゲート端子Ｇ４は０Ｖになり、ゲート端子Ｇ５の電位は、接続抵抗Ｒｃ４を介して、−１．７Ｖになる。
なお、時刻ｉでは、転送サイリスタＴ３とＴ４とがともにオン状態になっている。
【００６８】
時刻ｊにおいて、第３転送信号φ３を「Ｈ」にすると、転送サイリスタＴ３のアノード端子とカソード端子の電位がともに「Ｈ」の同電位になって、転送サイリスタＴ３がオフする。
そして、第３転送信号φ３が「Ｈ」になったことにより、ゲート端子Ｇ１の電位は−１．７Ｖに、転送サイリスタＴ１のしきい電圧は−３．２Ｖに戻る。同様に、ゲート端子Ｇ１２８の電位も−１．７Ｖに、転送サイリスタＴ１２８のしきい電圧も−３．２Ｖに戻る。
【００６９】
このとき、ゲート端子Ｇ４の電位が０Ｖであることから発光サイリスタＬ４のしきい電圧が−１．５Ｖとなる。そこで、時刻ｋにおいて、点灯信号φＩ（発光チップＣ１では点灯信号φＩ１）を「Ｌｅ」にすると、前述したと同様に、発光サイリスタＬ４のみが点灯する。
そして、期間Ｔ（Ｌ５）以降は、時刻ｃから始まる期間Ｔ（Ｌ２）からの繰り返しとなる。
【００７０】
以上説明したように、正方向転送では、３つの転送信号（第１転送信号φ１、第２転送信号φ２、第３転送信号φ３）により、接続抵抗Ｒｃで相互に接続された転送サイリスタＴのしきい電圧を順に変化させることで、転送サイリスタ列の一端側の転送サイリスタＴ（本実施の形態では転送サイリスタＴ１）から他端側の転送サイリスタＴ（本実施の形態では転送サイリスタＴ１２８）へとオン状態を設定することで、オン状態を伝搬（転送）させていく。
これに合わせて、転送サイリスタＴのゲート端子Ｇに、そのゲート端子が接続された発光サイリスタＬのしきい電圧を変化させ、点灯可能な状態にする。そして、画像データに基づいて点灯信号φＩ（発光チップＣ１では点灯信号φＩ１）を「Ｌｅ」にして“点灯（発光）”に設定し、または「Ｈ」のままとして“非点灯”とすることで、発光サイリスタＬを点灯制御している。
【００７１】
正方向転送では、第１転送信号φ１、第２転送信号φ２、第３転送信号φ３の順に「Ｌ」となる期間を設けた。これは、図５に示すように、転送サイリスタＴ１、Ｔ２、…、Ｔ１２８の順にオンにするためである。
【００７２】
（逆方向転送の動作）
では次に、図５を参照しつつ、図６（ｂ）に示す逆方向転送の場合を説明する。
逆方向転送では、前述の正方向転送に対して、第１転送信号φ１、第２転送信号φ２、第３転送信号φ３において、「Ｌ」の期間を設ける順番が異なっている。すなわち、逆方向転送では、転送サイリスタＴ１２８、Ｔ１２７、…、Ｔ１の順にオンする。このため、それぞれのカソード端子に循環して供給される第２転送信号φ２、第１転送信号φ１、第３転送信号φ３の順に「Ｌ」の期間を設けている。
そこで、逆方向転送では、正方向転送における第１転送信号φ１を第２転送信号φ２と、第２転送信号φ２を第１転送信号φ１と読み替えればよい。また、ゲート端子Ｇ１をゲート端子１２８と、転送サイリスタＴ１を転送サイリスタＴ１２８と、発光サイリスタＬ１を発光サイリスタＬ１２８と左右で対称となるように読み替えればよい。他についても、同様にすればよい。そのように読み替えると逆方向転送の動作は、正方向転送と同じであるので、説明を省略する。
なお、転送信号は、転送サイリスタＴの列が順にオンするように、それぞれの「Ｌ」の期間を設定すればよい。
【００７３】
すなわち、逆方向転送でも、３つの転送信号（第１転送信号φ１、第２転送信号φ２、第３転送信号φ３）により、接続抵抗Ｒｃで相互に接続された転送サイリスタＴのしきい電圧を転送サイリスタ列の順に変化させることで、転送サイリスタ列の他端側の転送サイリスタＴから一端側の転送サイリスタＴへとオン状態を設定することで、オン状態を伝搬（転送）させていく。
これに合わせて、転送サイリスタＴのゲート端子Ｇに、そのゲート端子が接続された発光サイリスタＬのしきい電圧を変化させ、点灯可能な状態にする。そして、画像データに基づいて点灯信号φＩ（発光チップＣ１では点灯信号φＩ１）を「Ｌｅ」にして“点灯（発光）”に設定し、または「Ｈ」のままとして“非点灯”とすることで、発光サイリスタＬを点灯制御している。
【００７４】
以上説明したように、本実施の形態では、２つのスタート抵抗ＲｓＬ、ＲｓＲが第３転送信号φ３を供給する第３転送信号配線７４に共通に接続されている。そして、正方向転送と逆方向転送とでは、第１転送信号φ１と第２転送信号φ２とが入れ替っている。
そして、正方向転送では、最初に、転送サイリスタ列の一端側に位置する転送サイリスタＴ１のカソード端子に供給される、第１の信号の一例としての第１転送信号φ１を「Ｌ」にする。一方、逆方向転送では、転送サイリスタ列の他端側に位置する転送サイリスタＴ１２８のカソード端子に供給される、第２の信号の一例としての第２転送信号φ２を「Ｌ」にする。
このように、本実施の形態では、転送信号を制御することで選択的に、転送サイリスタ列の一端側の転送サイリスタＴ１から他端側のＴ１２８へと順にオン状態を設定することにより、発光チップＣ１上の発光サイリスタＬ１、Ｌ２、…、Ｌ１２８を順に点灯可能な状態にして、発光サイリスタ列の一端側の発光サイリスタＬ１から他端側のＬ１２８に向かって昇順（正方向転送）に点灯制御することができる。また、転送サイリスタ列の他端側の転送サイリスタＴ１２８から一端側のＴ１へと順にオン状態を設定することにより、発光サイリスタＬ１２８、Ｌ１２７、…、Ｌ１の順に点灯可能な状態にして、発光サイリスタ列の他端側の発光サイリスタＬ１２８から一端側のＬ１に向かって降順（逆方向転送）で点灯制御することができる。
【００７５】
以上、発光チップＣ１を例として発光チップＣの動作を説明した。前述したように、発光部６３を構成する発光チップＣ（Ｃ１〜Ｃ６０）は、共通の転送信号（第１転送信号φ１、第２転送信号φ２、第３転送信号φ３）により、並行して駆動されている。そして、一組の転送信号に同期して、各発光チップＣ（Ｃ１〜Ｃ６０）に、画像データに基づいた個別の点灯信号φＩ（φＩ１〜φＩ６０）が供給される。このことにより、各発光チップＣ（Ｃ１〜Ｃ６０）は個別に点灯制御されることになる。発光部６３の発光チップＣ（Ｃ２〜Ｃ６０）は、上記した発光チップＣ１と同様に動作する。
なお、転送信号により、正方向転送とした場合は、発光チップＣ（Ｃ１〜Ｃ６０）のすべてが正方向転送となり、逆方向転送とした場合は、発光チップＣ（Ｃ１〜Ｃ６０）のすべてが逆方向転送となる。
【００７６】
次に、本実施の形態における発光チップＣを用いた画像形成例について説明する。
図７は、画像形成例を説明する図である。ここでは、隣り合う２個の発光チップＣを例として、画像形成例を説明する。なお、隣り合う２個の発光チップＣとしては、例として図３に示す発光チップＣ１とＣ２とする。なお、前述したように、回路基板６２上のすべての発光チップＣは、並行して駆動されるので、発光チップＣ３〜Ｃ６０においても、同様に画像形成がされる。
【００７７】
図３で説明したように、発光チップＣは、主走査方向に二列に千鳥状に配置して構成されている。そして、隣接するそれぞれの発光チップＣは、互いに１８０°回転した状態で配置されている。さらに、発光チップＣ１とＣ２とは、主走査方向の境界においても、発光サイリスタＬ（正確には発光する部分）のピッチが発光チップＣの発光サイリスタＬ（同じく正確には発光する部分）のピッチと同じとなるように配列されている。
【００７８】
このため、発光サイリスタＬ１〜Ｌ１２８の順は、発光チップＣ１とＣ２とで逆になっている。すなわち、発光チップＣ１では、図７（ａ）中の左側から右側へと発光サイリスタＬ１〜Ｌ１２８が配列されている。一方、発光チップＣ２では、図中の右側から左側へと発光サイリスタＬ１〜Ｌ１２８が配列されている。したがって、たとえ正方向転送であっても、発光チップＣ１とＣ２とでは、発光サイリスタＬの点灯が進んでいく方向が逆になる。
【００７９】
図７（ａ）は、２回の主走査（主走査方向への画像形成）を組にして、発光チップＣ１において第１主走査（矢印Ａ１で示す正方向転送）と第２主走査（矢印Ｂ１で示す逆方向転送）とで転送方向を逆にして画像形成する場合を示している。
【００８０】
画像形成時、信号発生回路１００より共通の第１転送信号φ１、第２転送信号φ２、第３転送信号φ３が発光チップＣ１およびＣ２に送信され、画像データに基づいて個別の点灯信号φＩ１とφＩ２とがそれぞれ発光チップＣ１とＣ２とに送信される。そして、発光チップＣ１およびＣ２のそれぞれの転送サイリスタＴによる転送（主走査）が開始される。同時に、画像データに基づいて、点灯信号φＩ１とφＩ２とにより、発光チップＣ１およびＣ２のそれぞれの発光サイリスタＬが点灯制御され、感光体ドラム１２が露光される。なお、すべての発光サイリスタＬを点灯させるとして説明する。
【００８１】
まず、第１主走査（正方向転送）について説明する。
正方向転送では、発光チップＣ１およびＣ２ともに、発光サイリスタＬ１からＬ１２８に向かって点灯制御される。すると、発光チップＣ１では、図７（ａ）の矢印Ａ１で示す方向（図中左側から右側へ）に発光サイリスタＬ１〜Ｌ１２８が順に点灯していく。そのため、図中左側より右側が遅れる。
同様に、発光チップＣ２では、矢印Ａ２で示す方向（図中右側から左側へ）に発光サイリスタＬ１〜Ｌ１２８が順に点灯していく。そのため、図中右側より左側が遅れる。
その結果、第１主走査の画像形成では、“Ｖ”字状の画像が形成される。
【００８２】
次に、第２主走査（逆方向転送）について説明する。
逆方向転送では、発光サイリスタＬ１２８からＬ１に向かって点灯制御される。すると、発光チップＣ１では、矢印Ｂ１で示す方向（図中右側から左側へ）に発光サイリスタＬ１２８〜Ｌ１が順に点灯していく。そのため、図中右側よりも図中左側が遅れる。
同様に、発光チップＣ２では、矢印Ｂ２（図中左側から右側へ）に示す方向に発光サイリスタＬ１２８〜Ｌ１が順に点灯していく。そのため、図中左側よりも図中右側が遅れる。
その結果、第２主走査の画像形成では、“Λ”字状に印字される。
そして、“Ｖ”字と“Λ”字とが副走査方向に交互に繰り返すことになる（第１主走査と第２主走査とで“Ｘ”字が繰り返すことになる）。
この画像形成では、画像の重心位置は、副走査方向に直交する線上にある。このため、副走査方向に傾いた複数の線からなる画像を形成してもモアレの発生を抑制できる。
【００８３】
図７（ｂ）は、転送方向を同じにして画像を形成する場合を示している。前述したと同様に、隣り合う発光チップＣ１とＣ２とは１８０°回転した状態であるので、回路基板６２上での転送方向は逆になる。なお、すべての発光サイリスタＬを点灯させるとして説明する。
ここでは、すべての主走査において発光サイリスタＬ１からＬ１２８に向かって点灯制御される。すると、発光チップＣ１では、矢印Ａ１の方向（図中左側から右側へ）に発光サイリスタＬ１〜Ｌ１２８が順に点灯していく。そのため、図中左側よりも右側が遅れる。
同様に、発光チップＣ２では、矢印Ａ２の方向（図中右側から左側へ）に発光サイリスタＬ１〜Ｌ１２８が順に点灯していく。そのため、図中右側よりも左側が遅れる。
その結果、第１主走査では、“Ｖ”字状の画像が形成される。
【００８４】
次に、第２主走査においても、同様であるので、同じく“Ｖ”字状の画像が形成される。そして、これが繰り返される。画像は、“Ｖ”字が重ねられた状態になる。このため、副走査方向に傾いた複数の線からなる画像を形成するとモアレが発生しやすい。
【００８５】
以上説明したように、本実施の形態では、転送方向を正方向と逆方向とに、主走査毎に交互に変更することができるので、画像形成において、モアレの発生を抑制しうる。
なお、本実施の形態では、転送方向を、主走査毎に交互に変更したが、複数の主走査を組にして、組単位で変更してもよい。
【００８６】
＜第２の実施の形態＞
図８は、第２の実施の形態における発光チップＣの回路構成を説明するための図である。なお、第２の実施の形態では、第１の実施の形態と図４における発光チップＣの構成が異なっている。ここでは、第１の実施の形態と同様に、発光チップＣ１を例として説明を行うが、他の発光チップＣ２〜Ｃ６０も発光チップＣ１と同じ構成を有している。第１の実施の形態における発光チップＣ（図５参照）と同じ構成は、同じ符号をつけて説明を省略する。そして、本実施の形態において、第１の実施の形態と異なる部分を中心に説明する。
【００８７】
本実施の形態が適用される発光チップＣ１は、２５６個の発光サイリスタＬ１〜Ｌ２５６を備えている。そして、２５７個の転送サイリスタＴ１〜Ｔ２５７を備えている。
そして、発光チップＣ１は、２５６個の接続抵抗Ｒｃ１〜Ｒｃ２５６、２個のスタート抵抗ＲｓＬ、ＲｓＲ、２５７個の抵抗Ｒ１〜Ｒ２５７を備えている。
転送サイリスタＴ１〜Ｔ２５６のゲート端子Ｇ１〜Ｇ２５６のそれぞれに発光サイリスタＬ１〜Ｌ２５６のゲート端子が接続されている。しかし、転送サイリスタＴ２５７のゲート端子Ｇ２５７には、発光サイリスタＬのゲート端子が接続されていない。
【００８８】
第２の実施の形態の発光チップＣと、第１の実施の形態の発光チップＣとの違いは、発光サイリスタＬの数が１２８個から２５６個と倍になっているとともに、転送サイリスタＴの数が２５７個と、発光サイリスタＬの数より１つ多い点である。
ここで、転送サイリスタＴの数が、発光サイリスタＬの数より１つ多い理由を説明する。
第１の実施の形態における発光チップＣでは、それぞれ１２８個の転送サイリスタＴおよび発光サイリスタＬと、転送サイリスタ列の一端側（転送サイリスタＴ１）および他端側（転送サイリスタＴ１２８）に接続されたスタート抵抗ＲｓＬおよびＲｓＲを備えていた。そして、３個の転送信号（第１転送信号φ１、第２転送信号２、第３転送信号φ３）を用い、スタート抵抗ＲｓＬおよびＲｓＲの転送サイリスタＴに接続されていない端子に転送信号の１つ（第１の実施の形態では第３転送信号φ３）を供給し、残りの２つの転送信号（第１転送信号φ１、第２転送信号φ２）をそれぞれ一端側（転送サイリスタＴ１）および他端側（転送サイリスタＴ１２８）のカソード端子に供給していた。
【００８９】
さて、２５６個の発光サイリスタＬの数Ｎが２５６個で、転送信号の数Ｍが３（第１転送信号φ１、第２転送信号φ２、第３転送信号φ３）の場合、発光サイリスタＬの数Ｎを転送信号の数Ｍで除すと、剰余が１となる。すると、転送サイリスタ列の一端側の転送サイリスタＴ１と他端側の転送サイリスタＴ２５６とに、第１転送信号φ１が供給されるようになってしまう。すると、一端側の転送サイリスタＴ１から転送を開始する正方向転送と、他端側の転送サイリスタＴ２５６から転送を開始する逆方向転送とを、転送信号によって制御することができない。
そこで、本実施の形態では、転送サイリスタＴ２５６の右側に、さらに転送サイリスタＴ２５７を設けている。このことにより、一端側の転送サイリスタＴ１に供給される第１の信号の一例としての第１転送信号φ１とは異なる、第２の信号の一例としての第２転送信号φ２が、他端側の転送サイリスタＴ２５７に供給されるようになる。これにより、一端側の転送サイリスタＴ１から転送を開始する正方向転送と、他端側の転送サイリスタＴ２５７から転送を開始する逆方向転送とを、転送信号によって制御しうる。
【００９０】
図９は、第２の実施の形態における発光チップＣの動作を説明するためのタイミングチャートである。図９（ａ）に示す正方向転送のタイミングチャートは、第１転送信号φ１、第２転送信号φ２、第３転送信号φ３の順に「Ｌ」となる期間が設けられている。そして、図９（ｂ）において、第２転送信号φ２、第１転送信号φ１、第３転送信号φ３の順に「Ｌ」となる期間が設けられている。これは、発光サイリスタＬの数が１２８と２５６とで異なることを除くと、第１の実施の形態（図６参照）と同じである。しかし、図９（ｂ）に示す、逆方向転送のタイミングチャートでは、発光サイリスタＬ２５６を点灯制御する期間Ｔ（Ｌ２５６）の前に、転送サイリスタＴ２５７のみを動作させる期間Ｔ（Ｔ２５７）が設けられている。
このようにすると、第１の実施の形態（図６参照）と同様に、転送開始時点（時刻ａ）において、第１転送信号φ１を「Ｌ」にすることで、転送サイリスタ列の一端側の転送サイリスタＴ１から他端側のＴ２５７に向けて転送（正方向転送）を開始しうる。そして、同じく転送開始時点（時刻ａ）において、第２転送信号φ２を「Ｌ」にすることで、転送サイリスタ列の他端側の転送サイリスタＴ２５７から一端側のＴ１に向けて転送（逆方向転送）を開始しうる。
すなわち、転送信号により、転送サイリスタ列の一端側から他端側または他端側から一端側へ転送を開始するように制御しうる。
【００９１】
なお、転送サイリスタＴ２５７のみを動作させる期間Ｔ（Ｔ２５７）を設けたことから、正方向転送と逆方向転送とを混在して使用する場合、点灯信号φＩを供給するタイミングを考慮することを要する。すなわち、逆方向転送の場合、転送サイリスタＴ２５７の転送期間Ｔ（Ｔ２５７）だけ点灯信号φＩの供給タイミングを遅らせることとなる。
上記の点を除くと、第２の実施の形態における発光チップＣの動作は、第１の実施の形態が適用される発光チップＣの動作（図６参照）と同様であるので、詳細な説明は省略する。
【００９２】
以上説明したように、転送サイリスタＴを１つ追加しなければならない理由は、発光サイリスタＬの数Ｎにある。第１の実施の形態では、発光サイリスタＬの数Ｎは１２８個であり、第２の実施の形態では、発光サイリスタＬの数Ｎは２５６個である。これらの値を、転送信号（第１転送信号φ１、第２転送信号φ２、第３転送信号φ３）の数Ｍである３で除すと、１２８では剰余が２となり、２５６では剰余が１となる。
剰余が１のとき、発光サイリスタＬの数Ｎと転送サイリスタＴとの数が同じであるとすると、転送サイリスタ列において、一端側の転送サイリスタＴと他端側の転送サイリスタＴとに、同じ転送信号が供給されることになってしまう。すると、転送信号によって、転送方向を変えることができない。
【００９３】
つまり、剰余が１である場合には、転送サイリスタＴの数を増やして、転送サイリスタ列の一端側の転送サイリスタＴと他端側の転送サイリスタＴとで同じ転送信号が供給されないようにすることが必要となる。すなわち、発光サイリスタＬの数を転送信号の数で除した剰余が１である場合には、転送サイリスタ列の一端側または他端側に、転送サイリスタＴを加えればよい。なお、このことは、転送信号の数Ｍが３でなくともよく、転送信号の数が３以上であればよい。
【００９４】
そして、本実施の形態においても、転送方向を正方向と逆方向とに、主走査毎に交互に変更することができるので、第１の実施の形態と同様に、画像形成において、モアレの発生を抑制しうる。
【００９５】
＜第３の実施の形態＞
図１０は、第３の実施の形態において、回路基板６２に搭載される信号発生回路１００の構成および回路基板６２の配線構成を示した図である。第１の実施の形態と同様のものについては、同じ符号を付してその詳細な説明を省略する。そして、本実施の形態において、第１の実施の形態と異なる部分を中心に説明する。
【００９６】
本実施の形態における転送信号発生部１２０は、第１の実施の形態と同様に第１転送信号φ１、第２転送信号φ２および第３転送信号φ３を出力するとともに、第１の信号の一例としてのスタート信号φｓＬおよび第２の信号の一例としてのスタート信号φｓＲを出力する。
そして、回路基板６２には、信号発生回路１００の転送信号発生部１２０から発光部６３に、第１の実施の形態と同様に第１転送信号φ１、第２転送信号φ２および第３転送信号φ３を、それぞれ送信する第１転送信号ライン１０６、第２転送信号ライン１０７および第３転送信号ライン１０８を設けるとともに、スタート信号φｓＬ、φｓＲをそれぞれ送信するスタート信号ライン１０２、１０３が設けられている。そして、第１転送信号ライン１０６、第２転送信号ライン１０７および第３転送信号ライン１０８は、それぞれが各発光チップＣ（Ｃ１〜Ｃ６０）のφ１端子、φ２端子およびφ３端子（後述の図１１参照）に並列に接続される。同様に、スタート信号ライン１０２、１０３は、それぞれが各発光チップＣ（Ｃ１〜Ｃ６０）のφｓＬ端子、φｓＲ端子（後述の図１１参照）に並列に接続される。
【００９７】
図１１は、第３の実施の形態における発光チップＣの回路構成を説明するための図である。第１の実施の形態および第２の実施の形態と同様のものについては、同じ符号を付してその詳細な説明を省略する。なお、ここでは、発光チップＣ１を例として説明を行うが、他の発光チップＣ２〜Ｃ６０も発光チップＣ１と同じ構成を有している。
本実施の形態が適用される発光チップＣ１は、２５６個の発光サイリスタＬ１〜Ｌ２５６を備えている。そして、２５６個の転送サイリスタＴ１〜Ｔ２５６を備えている。
さらに、発光チップＣ１は、２５５個の接続抵抗Ｒｃ１〜Ｒｃ２５５、２個のスタート抵抗ＲｓＬ、ＲｓＲ、２５６個の抵抗Ｒ１〜Ｒ２５６を備えている。
【００９８】
そして、スタート抵抗ＲｓＬの一方の端子は、転送サイリスタＴ１のゲート端子Ｇ１に接続され、他方の端子は、φｓＬ端子に接続されている。スタート抵抗ＲｓＲの一方の端子は、転送サイリスタＴ２５６のゲート端子Ｇ２５６に接続され、他方の端子は、φｓＲ端子に接続されている。φｓＬ端子にはスタート信号φｓＬが、φｓＲ端子にはスタート信号φｓＲが供給される。
【００９９】
本実施の形態と、第２の実施の形態とでは、発光サイリスタＬの数は２５６で同じである。しかし、本実施の形態は、転送サイリスタＴの個数が発光サイリスタＬの個数である２５６個と同じであって、第２の実施の形態における転送サイリスタＴ２５７を備えていない。また、本実施の形態は、第２の実施の形態が備えない２つのφｓＬ端子およびφｓＲ端子を備えている。
【０１００】
図１２は、第３の実施の形態における発光チップＣ１（Ｃ）の動作を説明するためのタイミングチャートである。第１の実施の形態および第２の実施の形態と同様のものについては、同じ符号を付して、その詳細な説明を省略する。第２の実施の形態のタイミングチャート（図９参照）と比較すると、スタート信号φｓＬおよびφｓＲが新たに設けられている。さらに、図１１（ｂ）に示す逆方向転送は、転送サイリスタＴ２５７がないため、期間Ｔ（Ｌ２５６）から開始する。
なお、図１２には、スタート信号φｓＬおよびφｓＲの動作を説明するために、時刻ａとｂとの間に、時刻ｘを設けた。なお、時刻ｘを除く他の時刻（時刻ａ、ｂ、…、ｕ）は、第１の実施の形態、第２の実施の形態と同じタイミングに設定されている。よって、時間は、時刻ａ、ｘ、ｂ、…、ｕの順に経過する。
【０１０１】
まず、発光チップＣを駆動する信号波形を説明する。
図１２（ａ）に示す正方向転送の場合には、第１の実施の形態で説明したように、発光サイリスタＬ１〜Ｌ９のそれぞれを制御する期間Ｔ（Ｌ１）〜Ｔ（Ｌ９）を設定する。
一方、図１２（ｂ）に示す逆方向転送の場合には、同様に、発光サイリスタＬ２５６〜Ｌ２４８のそれぞれを制御する期間Ｔ（Ｌ２５６）〜Ｔ（Ｌ２４８）を設定する。
【０１０２】
図１２（ａ）に示す正方向転送の場合、スタート信号φｓＬは、期間Ｔ（Ｌ１）の第１転送信号φ１が「Ｈ」から「Ｌ」に移行する時刻ａでは「Ｈ」である。そして、時刻ｘにおいて、「Ｈ」から「Ｌ」に移行し、それ以降「Ｌ」を維持する。一方、スタート信号φｓＲは、すべての期間Ｔにおいて「Ｌ」を維持する。
そして、期間Ｔ（Ｌ１）では第１転送信号φ１、期間Ｔ（Ｌ２）では第２転送信号φ２、期間Ｔ（Ｌ３）では第３転送信号φ３が、「Ｌ」になっている。すなわち、転送信号（第１転送信号φ１、第２転送信号φ２、第３転送信号φ３）の「Ｌ」の期間は、φ１→φ２→φ３→φ１→φ２→φ３の順に表れている。
【０１０３】
図１２（ｂ）に示す逆方向転送の場合、スタート信号φｓＲは、期間Ｔ（Ｌ２５６）の第１転送信号φ１が「Ｈ」から「Ｌ」に移行する時刻ａでは「Ｈ」である。そして、時刻ｘにおいて、「Ｈ」から「Ｌ」に移行し、それ以降「Ｌ」を維持する。一方、スタート信号φｓＲは、すべての期間Ｔにおいて「Ｌ」を維持する。
そして、期間Ｔ（Ｌ１）では第１転送信号φ１、期間Ｔ（Ｌ２）では第３転送信号φ３、期間Ｔ（Ｌ３）では第２転送信号φ２が、「Ｌ」になっている。すなわち、転送信号（第１転送信号φ１、第２転送信号φ２、第３転送信号φ３）の「Ｌ」の期間は、φ１→φ３→φ２→φ１→φ３→φ２の順に表れている。
なお、図１２（ｂ）の逆方向転送の場合を、図１２（ａ）の正方向転送の場合と比較すると、第２転送信号φ２と第３転送信号φ３とが、入れ替わった関係になっている。一方、第１転送信号φ１は、正方向転送と逆方向転送とで同じ波形である。
【０１０４】
（正方向転送での初期状態）
始めに、図１２（ａ）に示す正方向転送での初期状態（時刻ａの直前）について説明する。なお、以下に説明するように、本実施の形態は、第１の実施の形態と違って、正方向転送と逆方向転送とで、初期状態が異なる。
図１２（ａ）に示したタイミングチャートの時刻ａの直前、発光チップＣ（Ｃ１〜Ｃ６０）のＶｓｕｂ端子は「Ｈ」に、Ｖｇａ端子は「Ｌ」の電源電位Ｖｇａに設定される（図１０参照）。そして、転送信号発生部１２０は、第１転送信号φ１、第２転送信号φ２および第３転送信号φ３を「Ｈ」に、スタート信号φｓＬを「Ｈ」に、スタート信号φｓＲを「Ｌ」に設定する。点灯信号発生部１１０は、点灯信号φＩ（φＩ１〜φＩ６０）を「Ｈ」に設定する（図１０参照）。
では、発光チップＣ１を例として、発光チップＣの動作を説明する。
【０１０５】
第１の実施の形態の初期状態では、スタート抵抗ＲｓＬおよびＲｓＲには、ともに第３転送信号φ３の「Ｈ」が供給されていた。しかし、本実施の形態では、φｓＬ端子が「Ｈ」で、φｓＲ端子が「Ｌ」である。そして、スタート抵抗ＲｓＬとＲｓＲの間は、接続抵抗Ｒｃ（Ｒｃ１〜Ｒｃ２５５）が直列に接続されている。このため、スタート抵抗ＲｓＬ側（ゲート端子Ｇ１）が低く、スタート抵抗ＲｓＲ側（ゲート端子Ｇ２５６）が高いという電位関係となっている。
【０１０６】
ここで、本実施の形態においても、第１の実施の形態と同様に、スタート抵抗ＲｓＬ、ＲｓＲ、抵抗Ｒ（Ｒ１〜Ｒ２５６）、接続抵抗Ｒｃ（Ｒｃ１〜Ｒｃ２５５）の抵抗値の関係を設定する。
すると、ゲート端子Ｇ１の電位は、第１の実施の形態と同様に、−１．７Ｖ、転送サイリスタＴ１のしきい電圧は、−３．２Ｖとなる。そして、ゲート端子Ｇ２の電位は、−２．１Ｖ、転送サイリスタＴ２のしきい電圧は、−３．５Ｖになる。
【０１０７】
しかし、前述したように、スタート信号φｓＲが「Ｌ」に設定されているため、第１の実施の形態と違って、ゲート端子Ｇ２５６の電位は高くならない。つまり、本実施の形態では、転送サイリスタＴ１からＴ２５６へと番号が増えるにしたがって、それぞれのしきい電圧は徐々に低くなっていく。それらのしきい電圧は、−３．５Ｖ以下となっている。
【０１０８】
なお、各発光サイリスタＬ１〜Ｌ１２８のそれぞれのゲート端子Ｇ１〜Ｇ１２８は各転送サイリスタＴ１〜Ｔ１２８のそれぞれのゲート端子Ｇ１〜Ｇ１２８と接続されている。したがって、発光サイリスタＬ１〜Ｌ２５６のしきい電圧もそれぞれのゲート端子Ｇ１〜Ｇ２５６が接続された転送サイリスタＴ１〜Ｔ２５６のしきい電圧と同じ値になっている。
【０１０９】
（正方向転送の動作）
まず、図１１を参照しつつ、図１２（ａ）に示す正方向転送の動作を説明する。
発光サイリスタＬ１を制御する期間Ｔ（Ｌ１）について説明する。
時刻ａにおいて、第１転送信号φ１が、「Ｈ」（０Ｖ）から「Ｌ」（−３．３Ｖ）に移行する。このとき、第１転送信号φ１が供給される転送サイリスタＴ１、Ｔ４、…、Ｔ１２７（番号は３×（Ｓ−１）＋１：Ｓは１以上の整数）において、しきい電圧が高いのは、転送サイリスタＴ１（しきい電圧−３．２Ｖ）、転送サイリスタＴ４（しきい電圧−４．０Ｖ）、転送サイリスタＴ７（しきい電圧−４．３Ｖ）の順である。すなわち、本実施の形態では、図１１において右側の端に位置する転送サイリスタＴ２５６等を考慮する必要がない。
第１転送信号φ１が「Ｌ」になると、「Ｌ」（−３．３Ｖ）よりしきい電圧が高い転送サイリスタＴ１のみがオンする。
すなわち、時刻ａにおいて、オンできるのは、転送サイリスタＴ１に限られる。
【０１１０】
転送サイリスタＴ１がオンすると、ゲート端子Ｇ１の電位は、「Ｈ」（０Ｖ）まで上昇する。すると、接続抵抗Ｒｃ１を介して、ゲート端子Ｇ２の電位が、−１．４Ｖになる。これにより、転送サイリスタＴ２のしきい電圧が−２．９Ｖになる。
【０１１１】
このとき、発光サイリスタＬ１のゲート端子Ｇ１は、転送サイリスタＴ１のゲート端子Ｇ１でもある。したがって、転送サイリスタＴ１がオンすると、発光サイリスタＬ１のゲート端子Ｇ１の電位も０Ｖになる。これにより、発光サイリスタＬ１のしきい電圧は−１．５Ｖになる。
【０１１２】
次に、時刻ｘにおいて、スタート信号φｓＬを「Ｌ」にする。しかし、ゲート端子Ｇ１の電位は、オンになった転送サイリスタＴ１により、「Ｈ」（０Ｖ）に維持されている。よって、ゲート端子Ｇ１の電位は「Ｈ」（０Ｖ）を維持する。
【０１１３】
そこで、時刻ｂにおいて、点灯信号φＩ（発光チップＣ１では点灯信号φＩ１）の電位を、−１．５Ｖと−２．９Ｖとの間の電位「Ｌｅ」とすると、発光サイリスタＬ１のみが点灯（発光）し、他の発光サイリスタＬは点灯しない。そして、時刻ｃにおいて、点灯信号φＩ（発光チップＣ１では点灯信号φＩ１）の電位を「Ｈ」（０Ｖ）に戻すと、発光サイリスタＬ１のアノード端子の電位とカソード端子の電位とが同じになるため、発光サイリスタＬ１は消灯する。
【０１１４】
次に、発光サイリスタＬ２を制御する期間Ｔ（Ｌ２）について説明する。
時刻ｃにおいて、第２転送信号φ２が、「Ｈ」（０Ｖ）から「Ｌ」（−３．３Ｖ）に移行する。このとき、第２転送信号φ２が供給される転送サイリスタＴ２、Ｔ５、…、Ｔ１２８（番号は３×（Ｓ−１）＋２：Ｓは１以上の整数）において、しきい電圧は、転送サイリスタＴ２（−２．９Ｖ）、転送サイリスタＴ５（−３．９Ｖ）の順で高い。
そこで、第２転送信号φ２を「Ｌ」にすると、「Ｌ」（−３．３Ｖ）よりしきい電圧が高い転送サイリスタＴ２がオンする。
そして、転送サイリスタＴ２がオン状態になると、ゲート端子Ｇ２の電位は０Ｖになる。すると、接続抵抗Ｒｃ２を介して、ゲート端子Ｇ３の電位が−１．４Ｖになり、転送サイリスタＴ３のしきい電圧が−２．９Ｖとなる。なお、発光サイリスタＬ２のしきい電圧は−１．５Ｖになる。
なお、時刻ｃでは、転送サイリスタＴ１はオン状態を維持している。
【０１１５】
そして、時刻ｄにおいて、第１転送信号φ１を「Ｈ」にすると、転送サイリスタＴ１のアノード端子とカソード端子とがともに「Ｈ」（０Ｖ）になるため、もはや転送サイリスタＴ１はオン状態を維持できずオフする。
一方、転送サイリスタＴ１がオフすると、ゲート端子Ｇ１の電位は、接続抵抗Ｒｃ１を介して、−１．４Ｖになり、転送サイリスタＴ１のしきい電圧は−２．９Ｖになる。同様に、発光サイリスタＬ１のしきい電圧も−２．９Ｖになる。すなわち、転送サイリスタＴ１のしきい電圧は、転送サイリスタＴ３と同じになっている。
なお、時刻ｃ〜時刻ｄの間は、転送サイリスタＴ１と転送サイリスタＴ２とがともにオン状態になっている。
【０１１６】
そこで、時刻ｅで、点灯信号φＩ（発光チップＣ１では点灯信号φＩ１）を「Ｌｅ」にすると、発光サイリスタＬ２のみが点灯し、他の発光サイリスタＬは点灯しない。
そして、時刻ｆにおいて、点灯信号φＩ（発光チップＣ１では点灯信号φＩ１）を「Ｈ」にすると、発光サイリスタＬ２のアノード端子とカソード端子の電位がともに「Ｈ」（０Ｖ）になるので、発光サイリスタＬ２はもはや点灯を維持することができず消灯する。
【０１１７】
次に、発光サイリスタＬ３を制御する期間Ｔ（Ｌ３）について説明する。
時刻ｆにおいて、第３転送信号φ３が、「Ｈ」（０Ｖ）から「Ｌ」（−３．３Ｖ）に移行する。このとき、第３転送信号φ３が供給される転送サイリスタＴ３、Ｔ６、…、Ｔ１２６（番号は３×（Ｓ−１）＋３：Ｓは１以上の整数）において、しきい電圧は、転送サイリスタＴ３（しきい電圧−２．９Ｖ）、転送サイリスタＴ６（しきい電圧−３．９Ｖ）、転送サイリスタＴ９（しきい電圧−４．２Ｖ）の順に高い。
そこで、第３転送信号φ３を「Ｌ」にすると、「Ｌ」（−３．３Ｖ）よりしきい電圧が高い転送サイリスタＴ３のみがオンする。
なお、このとき、前述したように転送サイリスタＴ１のしきい電圧も−２．９Ｖであるが、転送サイリスタＴ１のカソード端子は「Ｈ」の第１転送信号φ１に接続されているので、オンしない。
すなわち、オン状態にある転送サイリスタＴの前後の転送サイリスタＴのしきい電圧は同じ値になるが、供給される転送信号が異なるので、一方のみがオンできる。
以下同様にして、転送サイリスタＴのオン状態が転送（伝搬）されていく。
【０１１８】
（逆方向転送での初期状態）
次に、図１２（ｂ）に示す逆方向転送での初期状態（時刻ａの直前）について説明する。
逆方向転送では、φｓＬ端子とφｓＲ端子に印加する電位が、正方向転送の場合と入れ替わっている。すなわち、φｓＬ端子が「Ｌ」で、φｓＲ端子が「Ｈ」である。つまり、逆方向転送は、正方向転送の場合の図１１を左右逆転させたと同じである。
そのため、ゲート端子Ｇ１〜Ｇ２５６の電位は、図１１中の転送サイリスタ列の他端側のゲート端子Ｇ２５６で高く、一端側のゲート端子Ｇ１にいくにしたがって低くなっている。
そして、ゲート端子Ｇ２５６の電位は、正方向転送の場合のゲート端子Ｇ１と同じ−１．７Ｖ、転送サイリスタＴ１のしきい電圧は−３．２Ｖとなっている。すなわち、上記した正方向転送の場合におけるゲート端子Ｇ１を、逆方向転送の場合のゲート端子Ｇ２５６と、正方向転送の場合における転送サイリスタＴ１のしきい電圧を、逆方向転送の場合の転送サイリスタＴ２５６のしきい電圧と読み替えればよい。同様にして、他についても順次読み替えればよい。
【０１１９】
（逆方向転送の動作）
逆方向転送の動作では、上記した読替の他に、転送信号について読み替えることが必要となる。つまり、逆方向転送においては、転送サイリスタＴ２５６、Ｔ２５５、…、Ｔ１の順にオン状態になる。転送サイリスタＴ２５６には第１転送信号φ１が、転送サイリスタＴ２５５には第３転送信号φ３が、転送サイリスタＴ２５４には第２転送信号φ２が供給される。このため、第１転送信号φ１が、第３転送信号φ３、第２転送信号φ２の順で「Ｌ」の期間が設定されることが必要となる。すなわち、正方向転送の場合の第２転送信号φ２を第３転送信号φ３と、第３転送信号φ３を第２転送信号φ２と読み替えればよい。
よって、逆方向転送の動作の説明を省略する。
【０１２０】
以上説明したように、スタート信号φｓＬ、φｓＲを使用する場合には、スタート信号φｓＬ、φｓＲの一方を「Ｈ」、他方を「Ｌ」とする。そして、スタート信号φｓＬ、φｓＲは、接続抵抗Ｒｃ（Ｒｃ１〜Ｒｃ２５５）を介して接続されたゲート端子Ｇ１〜Ｇ２５６の一端側のゲート端子Ｇ１と他端側のゲート端子Ｇ２５６にそれぞれ供給される。このため、それぞれのゲート端子Ｇ１〜Ｇ２５６の初期状態の電位は、ゲート端子Ｇ１からＧ２５６に向かって、高い値から低い値へまたは低い値から高い値へと一方向に設定される。
そして、それぞれの転送サイリスタＴのしきい電圧も、転送サイリスタＴ１からＴ２５６に向かって、高い値から低い値へまたは低い値から高い値へと一方向に設定される。
【０１２１】
そして、転送サイリスタ列の一端側の転送サイリスタＴ１または他端側の転送サイリスタＴ２５６のしきい電圧を、転送信号の電位より高くすることにより、一端側の転送サイリスタＴ１または他端側の転送サイリスタＴ２５６から転送動作を開始させうる。
すなわち、転送方向は、スタート信号φｓＬおよびφｓＲに与えられる電位により決められる。
【０１２２】
さて、図１１では、転送サイリスタ列の一端側の転送サイリスタＴ１および他端側の転送サイリスタＴ２５６のそれぞれのカソード端子は、ともに第１転送信号φ１が供給されている。しかし、第２の実施の形態の場合とは異なって、転送サイリスタ列の一端側の転送サイリスタＴ１と他端側の転送サイリスタＴ２５６とは、しきい電圧が異なっている。このため、第１転送信号φ１が供給されても、転送サイリスタＴ１または転送サイリスタＴ２５６のうち、しきい電圧の高い方のみがオンするので、転送サイリスタＴを追加する必要がない。
なお、転送サイリスタ列の一端側の転送サイリスタＴと他端側の転送サイリスタＴとに、異なる転送信号が供給されてもよい。例えば、転送サイリスタＴの個数が１２８であれば、第１の実施の形態で説明したように、転送サイリスタＴ１は第１転送信号φ１が、転送サイリスタＴ１２８には、第２転送信号φ２が供給されることになる。
【０１２３】
そして、転送信号は、第１の実施の形態と同様に、転送サイリスタ列の転送サイリスタＴが順にオンするように、「Ｌ」の期間を設定すればよい。
【０１２４】
第１の実施の形態では、複数の転送サイリスタＴのしきい電圧が、転送信号の電位より高い状態となりえる。そこで、それらの転送サイリスタＴのしきい電圧を、抵抗（Ｒ、Ｒｃ、ＲｓＲ、ＲｓＬ）の値を調整して、オンにしたい転送サイリスタＴのしきい電圧が最も高くなるように設定した。
一方、本実施の形態では、φｓＬ端子、φｓＲ端子およびスタート信号φｓＬ、φｓＲを設ける必要がある。しかし、初期状態において、転送サイリスタＴの列において、しきい電圧が低い値から高い値へと一方向に設定される。また、転送動作中は、オン状態の転送サイリスタＴが最も高く、左右で低くなるように設定される。このため、転送サイリスタＴのしきい電圧の設定が容易になる。
【０１２５】
そして、本実施の形態においても、転送方向を正方向と逆方向とに、主走査毎に交互に変更することができるので、第１の実施の形態と同様に、画像形成において、モアレの発生を抑制しうる。
【０１２６】
なお、第１の実施の形態、第２の実施の形態および第３の実施の形態において、点灯信号φＩを「Ｌｅ」から「Ｈ」に移行するタイミング（例えば、図６における期間Ｔ（Ｌ１）の時刻ｃ）は、第１転送信号φ１、第２転送信号φ２または第３転送信号φ３のいずれか（例えば、期間Ｔ（Ｌ１）では第２転送信号φ２）が「Ｈ」から「Ｌ」に移行するタイミングと一致させている。
しかし、これらのタイミングは一致する必要はない。むしろ、第１転送信号φ１、第２転送信号φ２または第３転送信号φ３のいずれか（例えば、期間Ｔ（Ｌ１）では第２転送信号φ２）が「Ｈ」から「Ｌ」に移行する前に、点灯信号φＩが「Ｌｅ」から「Ｈ」に移行することが好ましい。
これは、期間Ｔ（Ｌ１）の時刻ｃにおいて、第２転送信号φ２が「Ｈ」から「Ｌ」になると、発光サイリスタＬ２のしきい電圧が高くなって、発光サイリスタＬ１を点灯させている点灯信号φＩによって、発光サイリスタＬ２が点灯する恐れがあるからである。
なお、点灯信号φＩが「Ｈ」から「Ｌｅ」に移行するタイミングは、２つの発光サイリスタＬが同時にオンになることを防ぐため、第１転送信号φ１、第２転送信号φ２または第３転送信号φ３のいずれかのみが「Ｌ」となっているタイミングが好ましい。
【０１２７】
また、第１の実施の形態、第２の実施の形態および第３の実施の形態において、アノード端子を基板としたアノードコモンのサイリスタ（転送サイリスタＴおよび発光サイリスタＬ）について説明した。カソード端子を基板とした、カソードコモンのサイリスタ（転送サイリスタＴおよび発光サイリスタＬ）においても、回路の極性を変更することによって用いうる。
【０１２８】
なお、本願発明は、次のように捉えることもできる。
本願発明の発光装置は、基板と、前記基板上に列状に配列され、それぞれが第１ゲート端子、第１アノード端子および第１カソード端子を有する複数の発光サイリスタを有する発光サイリスタ列と、前記基板上に列状に配列され、それぞれが第２ゲート端子、第２アノード端子および第２カソード端子を有し、当該第２ゲート端子は前記発光サイリスタの第１ゲート端子とそれぞれが接続されるとともに、当該第２ゲート端子のそれぞれが接続抵抗を介して列状に接続され、当該第２アノード端子または当該第２カソード端子のいずれか一方に３以上の転送信号が循環するように供給され、うち２つの転送信号によって一端側から他端側または他端側から一端側へと順にオン状態を伝搬させる複数の転送サイリスタを有する転送サイリスタ列と、前記基板上の、前記転送サイリスタ列の両端側の転送サイリスタのそれぞれの前記第２ゲート端子に一端子が接続され、前記２つと異なる転送信号の１つが他端子に供給される２個のスタート抵抗と、を備えることを特徴とする。
前記発光サイリスタの数を、転送信号の数で除した剰余が１であるときは、前記転送サイリスタ列の一端側または他端側に転送サイリスタをさらに備える。
前記転送信号のうち、前記転送サイリスタのオン状態が伝搬する方向を設定する２つの転送信号は、当該転送サイリスタのオン状態の伝搬が開始するタイミングにおいて、それぞれが第１電位と当該第１電位と異なる第２電位とに設定され、当該転送サイリスタの列の端側にあって、当該第２電位が供給された転送サイリスタからオン状態の伝搬が開始する。
そして、前記第１電位は、前記転送サイリスタの前記第２アノード端子または前記第２カソード端子のうち、前記転送信号が供給される一方と異なる他方に供給される電位であって、前記第２電位は前記第２ゲート端子に抵抗を介して供給される電位である。
【０１２９】
また、本願発明の発光装置は、基板と、前記基板上の、それぞれが第１ゲート端子、第１アノード端子および第１カソード端子を有する複数の発光サイリスタと、前記基板上の、それぞれが第２ゲート端子、第２アノード端子および第２カソード端子を有し、当該第２ゲート端子が前記発光サイリスタのそれぞれの前記第１ゲート端子と接続され、当該第２ゲート端子が相互に接続抵抗で列状に接続され、当該第２アノード端子または当該第２カソード端子のいずれか一方に、列に沿って順にオン状態を伝搬させる３以上の転送信号のいずれかが供給される複数の転送サイリスタと、前記基板上の、列状に接続された両端の前記転送サイリスタのそれぞれの前記第２ゲート端子に、一方の端子が接続され、他方の端子に前記転送サイリスタのオン状態を伝搬させる方向を設定するスタート信号が供給される２個のスタート抵抗と、を備えることを特徴とする。
前記スタート抵抗のそれぞれに供給されるスタート信号は、当該転送サイリスタのオン状態の伝搬が開始するタイミングにおいて、第１電位と当該第１電位と異なる第２電位とに設定され、当該転送サイリスタの列の端にあって、当該第２電位が供給された転送サイリスタからオン状態の伝搬が開始する。
そして、前記第１電位は、前記転送サイリスタの前記第２アノード端子または前記第２カソード端子の前記転送信号が供給されるとは異なる他方に供給され、前記第２電位は前記第２ゲート端子に抵抗を介して供給される電位である。
【符号の説明】
【０１３０】
１…画像形成装置、１０…画像形成プロセス部、１１…画像形成ユニット、１２…感光体ドラム、１４…プリントヘッド、３０…画像出力制御部、４０…画像処理部、６２…回路基板、６３…発光部、６４…ロッドレンズアレイ、１００…信号発生回路、１１０…点灯信号発生部、１２０…転送信号発生部、φ１…第１転送信号、φ２…第２転送信号、φ３…第３転送信号、φＩ１〜φＩ６０…点灯信号、Ｃ１〜Ｃ６０…発光チップ、Ｔ１〜Ｔ２５７…転送サイリスタ、Ｌ１〜Ｌ２５６…発光サイリスタ、Ｒｃ１〜Ｒｃ２５６…接続抵抗、Ｒ１〜Ｒ２５７…抵抗、ＲｓＬ、ＲｓＲ…スタート抵抗
【図１】
2010221444.tif 000003
【図２】
2010221444.tif 000004
【図３】
2010221444.tif 000005
【図４】
2010221444.tif 000006
【図５】
2010221444.tif 000007
【図６】
2010221444.tif 000008
【図７】
2010221444.tif 000009
【図８】
2010221444.tif 000010
【図９】
2010221444.tif 000011
【図１０】
2010221444.tif 000012
【図１１】
2010221444.tif 000013
【図１２】
2010221444.tif 000014